(57)【要約】  ランプ１の両端に配置された一対の内部電極２ａ，２ｂのうち、一方に略矩形波電圧Ｖａに正の直流電圧Ｖｂが重畳された第一の電圧を印加し、他方は略矩形波電圧Ｖａに負の直流電圧―Ｖｂが重畳された第二の電圧を印加する。これによりランプ１の長手方向略中央部に発生する暗部が視認されなくなり、輝度分布が改善される。
2007129506.tif 000002
【特許請求の範囲】
【請求項１】
希ガスを含む放電媒体が封入された透光性容器の両端に一対の内部電極を有し、かつ前記透光性容器の長手方向に沿って配置された外部電極を有する誘電体バリア放電ランプを点灯させる点灯装置であって、
所定の略矩形波電圧に正の直流電圧が重畳された電圧である第一の略矩形波電圧を発生する第一の駆動回路と、
所定の略矩形波電圧に負の直流電圧が重畳された電圧である第二の略矩形波電圧を発生する第二の駆動回路とを有し、
前記第一の駆動回路が、前記一対の内部電極の一方と前記外部電極に、前記第一の略矩形波電圧を印加するよう接続され、
かつ前記第二の駆動回路が、前記一対の内部電極の他方と前記外部電極に、前記第二の略矩形波電圧を印加するよう接続される
ことを特徴とする誘電体バリア放電ランプ点灯装置。
【請求項２】
前記第一の略矩形波電圧と、前記第二の略矩形波電圧が略同位相であることを特徴とする請求項１記載の誘電体バリア放電ランプ点灯装置。
【請求項３】
前記第一の駆動回路と前記第二の駆動回路が、単一の駆動信号回路により駆動されるインバータ回路であることを特徴とする請求項２に記載の誘電体バリア放電ランプ点灯装置。
【請求項４】
前記第一の駆動回路が第一の昇圧トランスを有しており、
前記第一の昇圧トランスが第一の一次巻線と第二の一次巻線および第一の二次巻線を有し、
前記第二の駆動回路が第二の昇圧トランスを有しており、
前記第二の昇圧トランスが第三の一次巻線と第四の一次巻線および第二の二次巻線を有し、
前記第一の一次巻線の巻数と、前記第四の一次巻線の巻数が略等しく、前記第二の一次巻線の巻数と、前記第三の一次巻線の巻数が略等しい
ことを特徴とする請求項３記載の誘電体バリア放電ランプ点灯装置。
【請求項５】
前記第一の一次巻線の巻数と、前記第二の一次巻線の巻数の差が、１ターン以上２ターン以下であることを特徴とする請求項４記載の誘電体バリア放電ランプ点灯装置。
【請求項６】
前記第一から第四の一次巻線のうち、少なくとも巻数が最も少ない一次巻線に直列にインピーダンス素子を接続したことを特徴とする請求項４記載の誘電体バリア放電ランプ点灯装置。
【請求項７】
前記インピーダンス素子が、インダクタンスが１μＨ以上５μＨ以下のインダクタであることを特徴とする請求項６記載の誘電体バリア放電ランプ点灯装置。
【請求項８】
前記正の直流電圧と前記負の直流電圧の絶対値とが略等しいことを特徴とする請求項１記載の誘電体バリア放電ランプの点灯装置。
【請求項９】
前記所定の略矩形波電圧の振幅Ｖａと、前記正の直流電圧および前記負の直流電圧の絶対値Ｖｂとの関係が次式を満たすことを特徴とする請求項８記載の誘電体バリア放電ランプの点灯装置。
０．０２５Ｖａ≦Ｖｂ≦０．１０Ｖａ
【請求項１０】
希ガスを含む放電媒体が封入された透光性容器の両端に一対の内部電極を有し、かつ前記透光性容器の長手方向に沿って配置された外部電極を有する誘電体バリア放電ランプを点灯する方法であって、
前記内部電極のうちの一方に所定の略矩形波電圧に正の直流電圧が重畳された電圧である第一の略矩形波電圧を印加し、
前記内部電極のうちの他方に所定の略矩形波電圧に負の直流電圧が重畳された電圧である第二の略矩形波電圧を印加する
ことを特徴とする誘電体バリア放電ランプの点灯方法。
【請求項１１】
前記第一の略矩形波電圧と、前記第二の略矩形波電圧が、略同位相であることを特徴とする請求項１０記載の誘電体バリア放電ランプの点灯方法。
【請求項１２】
前記正の直流電圧と、前記負の直流電圧の絶対値が略等しいことを特徴とする請求項１０記載の誘電体バリア放電ランプの点灯方法。
【請求項１３】
前記所定の略矩形波電圧の振幅Ｖａと、前記正の直流電圧および前記負の直流電圧の絶対値Ｖｂとの関係が次式を満たすことを特徴とする請求項１２記載の誘電体バリア放電ランプの点灯方法。
０．０２５Ｖａ≦Ｖｂ≦０．１０Ｖａ
【発明の詳細な説明】
【技術分野】
【０００１】
本発明は、外部電極とランプ両端に配置された内部電極とを有する誘電体バリア放電ランプの点灯装置及び点灯方法に関する。
【背景技術】
【０００２】
近年、液晶技術の発達と共にテレビやモニタ等の情報表示装置として液晶ディスプレイが一般的に用いられている。液晶ディスプレイは、液晶の背面に光源装置（以下「バックライト」と呼ぶ）を配置し、このバックライトからの光を液晶パネルを透過させることで画面表示を行う構造を有する。これらのバックライトの主な光源としては、細管の冷陰極蛍光ランプを多数配置したものが最も多く用いられている。【０００３】
一方、バックライト用光源のさらなる高性能化が期待されており、それに対応して外部電極型の蛍光ランプが盛んに研究開発されている。誘電体バリア放電ランプは、ランプ内部に水銀を含まず、希ガスの発光を利用したものであり、環境にやさしくリサイクル性にも優れているという特長を有している。さらに、誘電体バリア放電ランプは水銀を含まないため、従来の冷陰極蛍光ランプのようにランプ内部の水銀が暖まって充分に蒸気化するまでの光束の時間変化がほとんどなく、光の立ち上がりが早いという特長を有している。【０００４】
誘電体バリア放電ランプの好適な構成例としては、図１２に示すように、ランプ１の両端に封止された一対の内部電極２ａおよび２ｂと、ランプの長手方向に沿って配置された外部電極３とを含む構成がある（特許文献１参照）。このようなランプに対する点灯装置は、内部電極２ａおよび２ｂのいずれか一方を、切り替えスイッチＳＷを用いて交互に電源Ｅに接続する。すなわち、切り替えスイッチＳＷにより内部電極２ａと電源Ｅが接続されたとき、内部電極２ａと外部電極３との間で放電が生じ、発光する（図１２（ａ）の状態）。逆に切り替えスイッチＳＷにより内部電極２ｂと電源Ｅが接続されたとき、内部電極２ｂと外部電極３との間で放電が生じ、発光する（図１１（ｂ）の状態）。従って、切り替えスイッチＳＷの接続を所定の周波数で切り替えることによって、内部電極２ａ側と内部電極２ｂ側が交互に点灯し、全体として平均した発光を得ることができる。【０００５】
【特許文献１】特開２００４−１２７５４０号公報（図１参照）
【発明の開示】
【発明が解決しようとする課題】
【０００６】
しかしながら、上述の図１２の構成においてランプ１を点灯する場合、内部電極２ａ側と内部電極２ｂ側が常に電源Ｅと接続された状態でランプ１を点灯する場合の発光効率と比較して、最大１０％から２０％も低下することが、本願発明者らの実験の結果明らかになった。【０００７】
一方、内部電極２ａ側と内部電極２ｂ側が常に電源Ｅと接続された状態でランプ１を点灯する場合、ランプ１の長手方向における内部電極２ａおよび２ｂのほぼ中間点において、ほとんど発光しなくなる。この理由は、内部電極２ａ側から印加された電界と、内部電極２ｂ側から印加された電界が衝突しあって、ランプ１の中央部において電界がほぼゼロとなるためである。このため、ランプ１の略中央部において、その周辺部と比して急激に暗くなる領域が発生し、輝度の均斉度が大幅に悪化するだけでなく、当該暗部の視認性が非常に高いという欠点を生じる。【０００８】
ランプ１の片端ではなく両端に内部電極２ａおよび２ｂを設けた構成の利点は、片端のみに内部電極を設ける場合に比べて効率が高いという点であるにも関わらず、そのような構成において、発光の均一性を高めるために、図１２のような内部電極２ａおよび２ｂの交互駆動を実施すると、発光効率が低下する。すなわち、高効率と高均斉度の両立が非常に困難であった。【０００９】
本発明は、上記課題を解決するためになされたものであり、その目的は、ランプの発光効率を維持しながら、ランプの長手方向の略中央部に明確な暗部を生じず、発光の均斉度を改善する誘電体バリア放電ランプの点灯方法ならびに点灯装置を提供することにある。
【課題を解決するための手段】
【００１０】
本発明に係る誘電体バリア放電ランプの点灯装置は、ランプの両端に一対の内部電極を有し、かつランプの長手方向に沿って配置された外部電極を有する誘電体バリア放電ランプを点灯する装置である。この装置は、所定の略矩形波電圧に正の直流電圧が重畳された第一の略矩形波電圧を発生する第一の駆動回路と、所定の略矩形波電圧に負の直流電圧が重畳された電圧である第二の略矩形波電圧を発生する第二の駆動回路とを有する。第一の駆動回路は、一対の内部電極の一方と外部電極とに、第一の略矩形波電圧を印加するよう接続される。第二の駆動回路は、一対の内部電極の他方と外部電極とに、第二の略矩形波電圧を印加するよう接続される。【００１１】
さらに、第一の略矩形波電圧と第二の略矩形波電圧が略同位相であることが好ましい。また、第一の駆動回路と第二の駆動回路が単一の駆動信号回路により駆動されるインバータ回路であることが好ましい。【００１２】
また、第一の駆動回路が第一の昇圧トランスを有し、第一の昇圧トランスが第一の一次巻線と第二の一次巻線および第一の二次巻線を有し、さらに第二の駆動回路が第二の昇圧トランスを有しており、第二の昇圧トランスが第三の一次巻線と第四の一次巻線および第二の二次巻線を有し、かつ、第一の一次巻線の巻数と第四の一次巻線の巻数が略等しく、
かつ、第二の一次巻線の巻数と第三の一次巻線の巻数を略等しく構成してもよい。
さらに、第一の一次巻線の巻数と第二の一次巻線の巻数の差が、１ターン以上２ターン以下となるように構成してもよい。【００１３】
さらに、第一から第四の一次巻線のうち、少なくとも巻数が最も少ない一次巻線に直列にインピーダンス素子を接続してもよい。インピーダンス素子は例えば１μＨ以上５μＨ以下のインダクタである。【００１４】
正の直流電圧と負の直流電圧の絶対値とが略等しくしてもよい。この場合、所定の略矩形波電圧の振幅Ｖａと、正の直流電圧および負の直流電圧の絶対値Ｖｂとの関係が次式を満たすようにしてもよい。
０．０２５Ｖａ≦Ｖｂ≦０．１０Ｖａ【００１５】
本発明に係る誘電体バリア放電ランプの点灯方法は、ランプの両端に一対の内部電極を有し、かつランプの長手方向に沿って配置された外部電極を有する誘電体バリア放電ランプを点灯する方法である。その方法は、上記内部電極のうちの一方に、所定の略矩形波電圧に正の直流電圧が重畳された電圧である第一の略矩形波電圧を印加し、他方に、所定の略矩形波電圧に負の直流電圧が重畳された電圧である第二の略矩形波電圧を印加する。
【発明の効果】
【００１６】
本発明は、ランプ両端に内部電極を有する誘電体バリア放電ランプの特長である高発光効率を損なうことなく、ランプ中央部に発生する暗部の視認性を大幅に低下することができる。従って、ランプの高効率と高均斉度を両立することが可能となる。
【図面の簡単な説明】
【００１７】
【図１】本発明の実施の形態１における誘電体バリア放電ランプの点灯方法を示す概略図
【図２】本発明の実施の形態１における誘電体バリア放電ランプ点灯装置の電源の動作を説明するためのタイミングチャート図
【図３】本発明の実施の形態１における誘電体バリア放電ランプ点灯装置によるランプの輝度分布を示す図
【図４】本発明の実施の形態２における誘電体バリア放電ランプ点灯装置の構成を示す図
【図５】本発明の実施の形態２における誘電体バリア放電ランプ点灯装置の出力電圧波形を示す概略図
【図６】本発明の実施の形態２における誘電体バリア放電ランプ点灯装置の出力電圧波形を示す図
【図７】従来の点灯方法を用いた誘電体バリア放電ランプ点灯装置による点灯状態を示す図（（ａ）拡散板なし、（ｂ）拡散板あり）。
【図８】（ａ）本発明の実施の形態２による誘電体バリア放電ランプ点灯装置による点灯状態を示す図、及び（ｂ）従来の誘電体バリア放電ランプ点灯装置による点灯状態を示す図
【図９】本発明の実施の形態２における誘電体バリア放電ランプ点灯装置と従来の誘電体バリア放電ランプ点灯装置による輝度分布の比較を示す図
【図１０】本発明の実施の形態３における誘電体バリア放電ランプ点灯装置の構成を示す図
【図１１】本発明の実施の形態３に誘電体バリア放電ランプ点灯装置において、（ａ）インピーダンス素子の挿入前の電源部の電圧及び電流波形を示す図、（ｂ）インピーダンス素子の挿入後の電源部の電圧及び電流波形を示す図
【図１２】従来の放電ランプ点灯装置の構成を示す図
【符号の説明】
【００１８】
１  ランプ
２ａ、２ｂ  内部電極
３  外部電極
４  駆動信号回路
５  熱収縮性チューブ
Ｅ０，Ｅ１，Ｅ２  電源
Ｔ１，Ｔ２  昇圧トランス
Ｌ１１１，Ｌ１１２，Ｌ２１１，Ｌ２１２  一次巻線  
Ｌ１２、Ｌ２２  二次巻線  
Ｌ１，Ｌ２  直列インダクタ
Ｓ１，Ｓ２，Ｓ３，Ｓ４  スイッチング素子
ＳＷ  切り替えスイッチ
【発明を実施するための最良の形態】
【００１９】
以下、本発明の実施形態を、図面を参照しながら説明する。【００２０】
（実施の形態１）
図１は、本発明の第一の実施の形態における誘電体バリア放電ランプの点灯方法及び点灯装置を模式的に示した図である。【００２１】
図１において、ランプ１は、その両端に配設された一対の内部電極２ａおよび２ｂ、さらにランプ１の長手方向の軸に沿って配設された外部電極３を有する誘電体バリア放電ランプである。ランプ１は、ソーダガラス、ホウ珪酸ガラスなどの透光性材料により形成され、内部にはキセノンガスを主体とした放電ガスが封入されている。さらに、ランプ１の内面には蛍光体皮膜が形成されている。なお、本実施の形態１におけるランプ１の寸法は外径φ３．０ｍｍ、長さ７００ｍｍである。【００２２】
内部電極２ａおよび外部電極３は、電源Ｅ１にそれぞれ接続され、内部電極２ｂおよび外部電極３は、電源Ｅ１にそれぞれ接続されている。なお、外部電極３は、好ましくは接地電位に保持されている。【００２３】
電源Ｅ１は、略矩形波（振幅Ｖａ）の交流電圧に、直流電圧Ｖｂを重畳した電圧波形を発生する。一方、電源Ｅ２は、略矩形波（振幅Ｖａ）の交流電圧に、直流電圧−Ｖｂを重畳した電圧波形を発生する。電源Ｅ１およびＥ２は、図２に示すタイミングチャートように、同位相・同一周波数で動作している。【００２４】
なお、略矩形波電圧が好ましい理由は、ランプ１に流れる電流をパルス状にすることによって休止期間を長く設け、これにより、発光効率を高めることができるためである。なお、誘電体バリア放電ランプの場合、複数の電極間でコンデンサを形成した構成となっている。従って、ランプ１のインピーダンスは容量性である。従って、ランプ１に流れる電流波形は電圧波形の微分となり、原理的にパルス状になる。【００２５】
以上のように構成した誘電体バリア放電ランプの点灯動作を以下に説明する。
内部電極２ａおよび２ｂと外部電極３の間に、電源Ｅ１および電源Ｅ２により発生した略矩形波の高電圧を印加すると、内部電極２ａ，２ｂと外部電極３並びにランプ１のガラス材料などによって構成される容量に対してパルス状の充電電流が流れる。すなわち、内部電極２ａ，２ｂからランプ１内部に放電電子が供給される。この放電電子は、内部電極２ａ，２ｂに印加された高電圧により加速され、ランプ１の両端部から中央部に向かって進行していきながら、順次ランプ１の内壁にトラップされていく。加速された電子は、ランプ１の内部に封入された放電ガスに衝突し、ガスを励起して、キセノンガスによるエキシマ発光を呈し、拡散陽光柱を発生する。【００２６】
上記高電圧によるランプ１内部の電界は内部電極２ａおよび２ｂの近傍で最も高く、ランプ１の長手方向の中心部に向かうにつれて低くなっていく。そして、内部電極２ａ側から発生した電界と内部電極２ｂ側から発生した電界がぶつかり合って、ある領域において電界強度がほぼゼロとなる。電界強度がゼロになると、放電電子はもはや加速されず、放電ガスが励起・発光することもほぼなくなって、当該領域に暗部を生じる。ここで、電界強度の勾配はランプ１の持つ容量の分布でほとんど決まり、内部電極２ａおよび２ｂに印加する電圧にはほとんど左右されない。【００２７】
図２に示すように、内部電極２ａおよび２ｂにおける電圧の関係は、時間により下記の２種類の関係を持ち、それぞれ電界強度がゼロとなる位置は次のように考えられる。
（１）タイミングＡ
内部電極２ａの電位；Ｖａ＋Ｖｂ
内部電極２ｂの電位；Ｖａ−Ｖｂ
暗部の位置；内部電極２ａ、２ｂの間の距離を（Ｖａ＋Ｖｂ）：（Ｖａ−Ｖｂ）に内分する点
（２）タイミングＢ
内部電極２ａの電位；−Ｖａ＋Ｖｂ
内部電極２ｂの電位；−Ｖａ−Ｖｂ
暗部の位置；内部電極２ａ、２ｂの間の距離を（Ｖａ−Ｖｂ）：（Ｖａ＋Ｖｂ）に内分する点【００２８】
すなわち、内部電極２ａおよび２ｂに印加される電圧が正の時間帯は、やや内部電極２ｂ寄りに暗部が発生し、内部電極２ａおよび２ｂに印加される電圧が負の時間帯は、やや内部電極２ａ寄りに暗部が発生することになる。従って、当該暗部は電源Ｅ１およびＥ２より発生する交流電圧成分の周波数と同一周波数で、上記の二点の間を往復する。このため、当該暗部の動く領域における光出力は、発光しているときの光出力と暗部となっているときの光出力で平均化された出力となる。【００２９】
次に、略矩形波交流電圧の振幅Ｖａと直流オフセット電圧Ｖｂの値の関係について言及する。【００３０】
ＶａとＶｂの大小関係は、必ずＶａ＞Ｖｂとなるようにしなければならない。もし、Ｖａ＜Ｖｂとなった場合、常に内部電極２ａの電位は正、内部電極２ｂの電位は負となる。この場合、外部電極３とはほぼ無関係に、放電電子は内部電極２ａから内部電極２ｂへ直接向かう。従って、通常の蛍光ランプなどと同様の放電形態となって、もはや誘電体バリア放電とは言えなくなる。このとき、内部の放電ガスはエキシマを生成しなくなり、放電効率は極端に低下する。【００３１】
一方、ランプ１の発光効率を最大化するためには、内部電極２ａおよび２ｂに印加可能な電圧は、ランプ１の設計によってある範囲に限定される。その理由は以下の通りである。まず、電圧が高くなりすぎると収縮陽光柱となり、効率が極端に低下するばかりか、収縮部分のスネーキングによるチラツキを発生する。次に、電圧が低くなりすぎると、ランプ１内部の電界強度が低いために、エキシマ生成効率が低下し、ランプ１の発光効率が低下するばかりでなく、ランプ１の中央部付近まで放電が届かなくなってしまう。【００３２】
以上の理由から、ランプ１の発光効率を損なわないためには、内部電極２ａおよび２ｂに印加する電圧は、あまり大きな直流オフセット電圧Ｖｂを加えず、略矩形波の交流成分の振幅Ｖａに比べて充分に低い値に留めておくように設定することが好適である。さらに、暗部の移動範囲をあまりに広範囲になるように設定すると、暗部がうまく追従できなくなり、数周期に一回程度しか暗部が動かないケースが発生し、目視でランプ１のちらつきを確認した。【００３３】
また、直流オフセット電圧Ｖｂが非常に小さく暗部の移動範囲があまりに狭くなると、徐々にランプ１中央部の暗部の視認性が高まり、均斉度改善の効果が薄れる。
以上の現象を考慮しながら、直流オフセット電圧Ｖｂの好適な範囲を検討した結果、Ｖｂの値は次式を満たすように設定することが好適である。
０．０２５Ｖａ≦Ｖｂ≦０．１０Ｖａ【００３４】
図３に、直流オフセット電圧Ｖｂを加えた場合のランプ１の長手方向の輝度分布の例を示す。なお、ここでは、理想的な矩形波を発生する外部電源（ハイデン研究所製：ＳＢＰ−５Ｋ−ＨＦ−１)を用いて測定した結果を示している。また、比較例として、Ｖｂ＝０（内部電極２ａ，２ｂを等電位に保った場合）の輝度分布も記載している。また、いずれの測定も矩形波交流電圧Ｖａは同一の値を用い、ランプ１はキセノンガスを１２０Ｔｏｒｒ封入した同一のものを用いている。輝度分布の測定においては、外部電極は光反射板を兼ねたアルミ平板１枚とし、ランプ１をその上に１６本を並べ、さらに拡散板を載せて、ランプ１の長手方向の軸に沿って測定した。【００３５】
図３から判るように、従来の点灯方法によるＶｂ＝０の場合、すなわち内部電極２ａ，２ｂを等電位に保った場合、ランプ１の長手方向における中央部の輝度が急激に落ち込んでいる。人間の目の感じ方として、暗部の見え方は暗部周辺の輝度との対比によって認識されるため、周辺部の明るさとの差が大きいときは非常に明確に認識される。言い換えれば、輝度分布のグラフの微分値（傾き）が大きいときに、周辺部との明るさの差を認識しやすく、この場合は暗部が実際の輝度の不均一性以上に明確に認識され、使用者が不快に感じる。なお、本測定は拡散板を載せて行ったため、拡散光によりランプ１の中央部付近の暗部がかなり見えにくくなっているにも関わらず、当該暗部において輝度が急激に落ち込んでいる。【００３６】
これに対して、本発明の点灯方法によるＶｂ＝０．０５Ｖａの場合、同様にランプ１の長手方向の中央部付近に暗部が発生しているものの、輝度均斉度（最小輝度を最大輝度で割った値）が約６％改善している。６％という値自体は小さいが、暗部近傍における輝度分布の微分値（傾き）が小さくなるために暗部が認識されにくくなり、輝度分布の数値的な改善度合よりもはるかに視覚的には印象が良くなる。なお、図３において範囲Ｒが暗部の移動範囲であり、この範囲において輝度はほぼ均一となっている。【００３７】
ランプ１の発光効率を計算により求めたところ、Ｖｂ＝０．０５Ｖａの場合のランプ１の発光効率は、Ｖｂ＝０の場合と比較して僅か２％しか低下しなかった。これは計算誤差と言えるレベルの差であり、従来技術のように、内部電極２ａ，２ｂに交互に電圧を印加して駆動する場合の効率低下（−１０〜−２０％）と比較して驚くほど高い効率である。
以上のように、内部電極２ａには正の直流オフセット電圧Ｖｂと矩形波交流電圧Ｖａの合成電圧を印加し、内部電極２ｂには負の直流オフセット電圧Ｖｂと矩形波交流電圧Ｖａの合成電圧を印加することによって、ランプ１の発光効率をほとんど損なうことなく、輝度分布を改善できるとともに、ランプ１の長手方向の中央部近傍に発生する暗部の視認性を低下させるという優れた効果を奏する。【００３８】
また、本発明はどのような値の矩形波交流電圧Ｖａに対しても効果が得られる。なお、矩形波交流電圧Ｖａを上げることにより、さらに輝度分布を一様な値に近づけることは可能であるが、あまりに上げ過ぎると内部電極２ａ，２ｂ近傍において収縮陽光柱となり、ランプ１の発光効率が低下するので、あくまでも矩形波交流電圧Ｖａの振幅は、内部電極２ａ，２ｂに印加される最大電圧振幅（Ｖａ＋Ｖｂ）において収縮陽光柱が発生しない範囲内に留める必要がある。【００３９】
また、本実施の形態１では電源Ｅ１と電源Ｅ２の直流オフセット電圧の絶対値を等しくしたが、異なる電圧としても同様の効果が得られる。ただし、ランプ１の両端における発光輝度が非対称となる場合が多く、ディスプレイ等への応用を考えた場合には不適である。【００４０】
（実施の形態２）
図４は、本発明の第二の実施の形態における誘電体バリア放電ランプの点灯装置の構成を示す図である。なお、本実施の形態の構成は、実施の形態１における電源Ｅ１，Ｅ２をプッシュプルインバータで構成し、当該インバータを直流電源Ｅ０に接続したものである。【００４１】
上記の構成による誘電体バリア放電ランプ点灯装置の動作を、図４を参照しながら説明する。【００４２】
インバータ電源Ｅ１，Ｅ２は、直流電源Ｅ０からの直流電力をスイッチング素子のスイッチングに応じて以下のように略矩形波電圧の交流電力に変換する。【００４３】
まず、駆動信号回路４は、４つのスイッチング素子Ｓ１１，Ｓ１２，Ｓ２１，Ｓ２２を駆動するための２種類の駆動信号を生成する。一つの駆動信号はスイッチング素子Ｓ１１およびＳ２１のオンオフ信号であり、他の駆動信号はスイッチング素子Ｓ１２およびＳ２２のオンオフ信号である。上記２つの駆動信号は、交互にオン信号を発生する。すなわち、一方がオンの信号を発生しているときは他方がオフ信号を発生する。従って、回路の動作状態は、以下の２つの状態を持つ。
状態Ａ：スイッチング素子Ｓ１１，Ｓ２１：オフ
スイッチング素子Ｓ１２，Ｓ２２：オン
このとき、電源Ｅ１，Ｅ２の昇圧トランスＴ１，Ｔ２の一次巻線Ｌ１１２，Ｌ２１２に各々電流が流れ、その結果、昇圧トランスＴ１，Ｔ２の二次巻線Ｌ１２，Ｌ２２にランプ１の内部電極２ａおよび２ｂに正の電圧を印加するような高電圧が各々発生する。
状態Ｂ：スイッチング素子Ｓ１１，Ｓ２１：オン
スイッチング素子Ｓ１２，Ｓ２２：オフ
このとき、電源Ｅ１，Ｅ２の昇圧トランスＴ１，Ｔ２の一次巻線Ｌ１１１，Ｌ２１１に各々電流が流れ、その結果、昇圧トランスＴ１，Ｔ２の二次巻線Ｌ１２，Ｌ２２にランプ１の内部電極２ａおよび２ｂに負の電圧を印加するような高電圧が各々発生する。【００４４】
上記の二つの状態を交互に繰り返すことによって、ランプ１は、内部電極２ａおよび２ｂと外部電極３との間に交流高電圧が印加され、ランプ１内部に放電プラズマを発生させる。なお、上述の構成によれば、電源Ｅ１およびＥ２は同位相、同周波数の略矩形波をランプ１に出力できる。【００４５】
ここで、ランプ１に発生する交流電圧（昇圧トランスＴ１，Ｔ２の二次巻線Ｌ１２，Ｌ２２に各々発生する電圧）は略矩形波であり、上述の実施の形態１と同様である。昇圧トランスＴ１およびＴ２の各巻線の結合係数が低いと、漏れインダクタンスにより波形が大きく崩れてしまうため、好ましくは各トランスの結合係数を０．９９５以上となるように構成する。【００４６】
各昇圧トランスＴ１およびＴ２の各巻線は、以下のような巻数で構成されている。
一次巻線Ｌ１１１，Ｌ２１２：巻数Ｎ１１
一次巻線Ｌ１１２，Ｌ２１１：巻数Ｎ１２
二次巻線Ｌ１２  ，Ｌ２２  ：巻数Ｎ２【００４７】
昇圧トランスＴ１およびＴ２の各一次巻線に電流が流れているとき、二次側に発生する電圧（内部電極２ａおよび２ｂに印加される電圧）は、当該巻線の巻数比によって決定される。すなわち、以下のようになる。
状態Ａ：内部電極２ａに印加される電圧：Ｅ０×Ｎ２／Ｎ１２
内部電極２ｂに印加される電圧：Ｅ０×Ｎ２／Ｎ１１
状態Ｂ：内部電極２ａに印加される電圧：−Ｅ０×Ｎ２／Ｎ１１
内部電極２ｂに印加される電圧：−Ｅ０×Ｎ２／Ｎ１２【００４８】
そこで、Ｎ１１＞Ｎ１２となるように構成すると、各内部電極２ａ，２ｂに印加される電圧の概略波形は図５のように、略矩形波電圧の波形にそれぞれ直流オフセット電圧が重畳されたような波形となる。このときの略矩形波電圧の振幅Ｖａ、直流オフセット電圧Ｖｂは以下のようになる。
Ｖａ＝Ｅ０×Ｎ２×｛（１／Ｎ１２）＋（１／Ｎ１１）｝／２
Ｖｂ＝Ｅ０×Ｎ２×｛（１／Ｎ１２）−（１／Ｎ１１）｝／２【００４９】
従って、各一次巻線の巻数Ｎ１１，Ｎ１２の差を適宜選定することで、所望の直流オフセット電圧を設定することが可能である。【００５０】
以上の構成に基づき、実際のインバータ回路で電源Ｅ１およびＥ２を構成し、実際にランプ１を点灯させ、輝度分布の改善効果を検証した。ランプ１の構成は、実施の形態１で用いたものと同様である。【００５１】
図６に、実回路における電源Ｅ２から内部電極２ｂに出力される電圧の波形を示す。ここでは直流オフセット電圧を約７０V（略矩形波交流電圧の振幅の約３．５％）としている。昇圧トランスＴ１，Ｔ２の逆電圧による電圧立ち上がり・立ち下がり時の電圧オーバーシュートが見られ、また、昇圧トランスＴ１，Ｔ２の持つ巻線の漏れインダクタンスと寄生容量により矩形波の波形が若干乱れているが、概略矩形波交流と直流オフセット電圧の合成電圧波形を良好に出力している。なお、電源Ｅ１から内部電極２aに出力される電圧波形は、図６に示した波形をほぼ反転したものであるため割愛する。【００５２】
図７は、従来の方法による、内部電極２ａおよび２ｂを等電位に保って点灯させた場合のランプ１の発光状態を撮影した写真である。図７（ａ）は、ランプ１の長手方向の中央付近にできる暗部を見やすくするため、拡散板を外した状態で撮影したものであり、図７（ｂ）は、拡散板を設置した状態で撮影したものである。図７（ａ）に示すように、暗部と、その暗部周辺の輝度差が急激であるため、実際以上に暗部が視認されやすいことが判る。図７（ｂ）に示すように、拡散板を載せた場合でも、ほぼ縦に並んでいるランプ上の暗部に沿って、拡散板の中央部に明確な暗部が確認できる。【００５３】
図８（ａ）は、本実施形態のインバータ電源Ｅ１，Ｅ２で実際にランプ１を点灯した場合の発光状態を示す写真である。図８（ａ）は拡散板を載せた状態で撮影したものである。なお、図（ｂ）に比較例として図７（ｂ）と同じ写真を示す。なお、図７（ｂ）、図８の写真左側と中央のやや上寄りのところに暗部があるように見えているが、これはカメラについていた汚れの影である。図８（ａ）と図８（ｂ）の二つの写真を見比べてみると、暗部の視認性の改善効果が明らかである。【００５４】
図９は、本実施の形態のインバータ電源Ｅ１，Ｅ２で実際にランプ１を点灯した場合のランプ１の輝度分布と、比較例として内部電極２ａおよび２ｂを等電位に保って点灯させた場合のランプ１の輝度分布とを示す。本実施の形態の場合も、輝度均斉度（最小輝度を最大輝度で割った値）が約６％改善している。なお、暗部近傍における輝度分布の微分値が小さくなるために暗部が認識されにくく、数値的な改善度合以上の改善効果があることは前述の通りである。【００５５】
なお、実際のインバータ回路で電源Ｅ１，Ｅ２を構成する場合も、直流オフセット電圧Ｖｂは、略矩形波交流電圧の振幅Ｖａ（ただし、電圧オーバーシュートの部分を除く）に対し、次式のように選定することが好適であることは、実施の形態１の場合と同様である。
０．０２５Ｖａ≦Ｖｂ≦０．１０Ｖａ【００５６】
なお、本実施の形態では、昇圧トランスＴ１，Ｔ２の巻数が一次巻線Ｌ１１１およびＬ２１２を等しく、かつ一次巻線Ｌ１１２およびＬ２１１を各々等しくなるように構成したが、差を持たせても構わない。ただし、その場合は内部電極２ａ側と内部電極２ｂ側で輝度に差を生じる場合があるので注意が必要である。【００５７】
次に、一次巻線の巻数Ｎ１１とＮ１２の巻数差の好適な範囲について説明する。一次巻線の巻数Ｎ１１とＮ１２の巻数差の好適な範囲は、１ターン以上２ターン以下が好適である。一般に良く用いられている冷陰極蛍光ランプの用途として液晶ディスプレイのバックライトが挙げられるが、バックライトの駆動回路の入力は直流１２Ｖないし２４Ｖが主流である。従って、ランプ１の設計にも拠るが、昇圧トランスＴ１およびＴ２の昇圧比は５０倍から１００倍とすることが必要となる。例えば、二次巻線Ｌ１２およびＬ２２の巻数Ｎ２を１０００ターンとすると、昇圧比５０倍なら一次巻線の巻数は２０ターン、１００倍なら僅か１０ターンと、巻数が非常に少ない。前述のように、暗部の移動範囲を広くするために直流オフセット電圧Ｖｂを大きくしすぎると、効率低下を招いたり、暗部が追従できなくなってちらつきを生じたりする。従って、一次巻線の巻数差（＝Ｎ１１−Ｎ１２）は１ターンないし２ターンに抑えるほうが好ましい。この場合、例えば二次巻線の巻数Ｎ２を１０００ターン、昇圧比が５０倍から１００倍の範囲において、
（１）昇圧比が５０倍のとき
一次側を２０ターンと１９ターンとすると、オフセット電圧は交流分の２．５６％
一次側を２０ターンと１８ターンとすると、オフセット電圧は交流分の５．２６％
となる。
（２）昇圧比が１００倍のとき
一次側を１０ターンと９ターンとすると、オフセット電圧は交流分の５．２６％
一次側を１０ターンと８ターンとすると、オフセット電圧は交流分の１１．１１％
となる。【００５８】
従って、一次巻線の巻数差（＝Ｎ１１−Ｎ１２）は、１ターンないし２ターンとするのが現実的である。なお、昇圧トランスＴ１，Ｔ２のボビン（巻線の巻き枠）のピン配置によっては１．５ターンなど端数にしても良い。【００５９】
（実施の形態３）
図１０は、本発明の第三の実施の形態における誘電体バリア放電ランプの点灯装置の構成を示す図である。本実施の形態では、実施の形態２における昇圧トランスＴ１およびＴ２の一次巻線のうち、巻数が少ないほうの一次巻線に直列に直列インダクタＬ１，Ｌ２を各々挿入している。電源Ｅ１およびＥ２の動作は実施の形態２における点灯装置の場合と同様なので、詳細な説明は割愛する。【００６０】
上述の実施の形態２の場合のように、昇圧トランスＴ１およびＴ２の一次側の巻数に差を設けた場合、以下のような問題が生じる場合がある。【００６１】
内部電極２ａおよび２ｂに負の高電圧を印加した際に、内部電極２ａ，２ｂから放出された電子は、ランプ１の内壁にトラップされる。これを「壁電荷」と呼ぶ。トラップされた電子は、内部電極２ａ，２ｂに印加する電圧が正に反転した瞬間に、内部電極２ａ，２ｂの近傍の領域から順に放出され、内部電極２ａ，２ｂに帰還する。このとき、各内部電極２ａ、２ｂの近傍にトラップされている電子は、内部電極２ａないし２ｂにどのような正電圧を印加しても、必ず直近の内部電極に向かって放電される。なぜなら、ランプ１の長さは、内部電極２ａと内部電極２ｂの電位差に比べて充分長く、さらに電界強度は内部電極２ａ，２ｂから遠ざかるにつれて低下するので、例えば内部電極２ａ近傍の領域では、内部電極２ｂからは最も遠い位置にあるため、ほとんど影響を受けないからである。また、内部電極２ｂ近傍の領域でも同様に、内部電極２ａの電位に関わらず、内部電極２ｂ近傍の電子は内部電極２ｂに向かって放出される。【００６２】
このような現象のため、内部電極２ａ，２ｂに印加する電圧が反転する際に流れるランプ電流、すなわち昇圧トランスＴ１，Ｔ２の二次巻線Ｌ１２，Ｌ２２に流れる電流のピーク値Ｉは、電圧が正から負に反転するときと負から正に反転するときでは、内部電極２ａ，２ｂに印加している電圧が異なるにも関わらず、ほぼ同じになってしまう。なお、ランプ１の長手方向の中央部近傍においては、内部電極２ａからの距離と内部電極２ｂからの距離が拮抗しているため、各々印加されている電圧のバランスによって電界方向が決まる。本実施の形態のように、内部電極２ａに正の電圧オフセット、内部電極２ｂに負の電圧オフセットを与えた場合は、ランプ１の管中央付近の壁電荷は、負電圧のときに内部電極２ｂ側から供給され、負電圧のときに内部電極２ａ側から放出される。【００６３】
このように、昇圧トランスＴ１，Ｔ２の二次巻線Ｌ１２，Ｌ２２に流れる電流は、正電流と負電流でピーク値がほとんど変わらない。ところが、一次巻線Ｌ１１１，Ｌ１１２，Ｌ２１１，Ｌ２１２は巻数が異なっている。昇圧トランスＴ１側を例にとると、一次巻線Ｌ１１１に電流が流れる期間に発生する最大起磁力は、巻数Ｎ１１とピーク電流Ｉの積となる。次に、一次巻線Ｌ１１２に電流が流れる期間に発生する最大起磁力は、巻数Ｎ１２とピーク電流Ｉの積となる。すなわち、巻数が少ない方の一次巻線Ｌ１１２を電流が流れる期間に比して、巻数が多い方の一次巻線Ｌ１１１に電流が流れる期間では、昇圧トランスＴ１に発生する起磁力が高くなり、比較的昇圧トランスＴ１の飽和が発生しやすい。【００６４】
上記の問題を解消するために、本実施形態では、巻数が少ない方の一次巻線に直列にインピーダンス素子を挿入する。図１０の構成において、直列インダクタＬ１，Ｌ２が、その挿入されたインピーダンス素子に該当する。【００６５】
巻数が少ない方の一次巻線Ｌ１１２，Ｌ２１１、すなわち昇圧比が高くなる方の一次巻線に対して直列インダクタＬ１，Ｌ２を挿入することによって、一次巻線Ｌ１１２，Ｌ２１１に流れる電流のピーク値を抑制し、その結果としてランプ１に流れる電流ピーク値を制限する。これにより、巻数が多い方の一次巻線Ｌ１１１，Ｌ２１２に流れる電流のピーク値も、前述の制限されたピーク値とほぼ等しくなる。従って、昇圧トランスＴ１，Ｔ２の飽和が発生しにくくなるという効果を奏する。【００６６】
図１１に、インダクタＬ１の挿入前後の電源Ｅ１の電圧及び電流波形を示す。図１１（ａ）はインダクタＬ１の挿入前の波形を示し、図１１（ｂ）はインダクタＬ１の挿入後の波形を示す。図１１において、波形Ｖは内部電極２ａに印加される電圧の波形であり、波形Ｉはスイッチング素子Ｓ１１に流れる電流の波形である。なお、図１１（ａ）と図１１（ｂ）においては電流波形の縦軸のスケールが異なっている。図１１では、一次巻線Ｌ１１２のインダクタンスは約５２０μＨであり、インダクタＬ１は、一次巻線Ｌ１１２のインダクタンスに対して充分に小さな値である４μＨとしている。【００６７】
図１１（ｂ）を参照すると、挿入したインダクタＬ１の作用により、電流変化が緩やかになり、電流パルスのピーク値が低下しているとともに時定数が大きくなっているのが分かる。飽和電流についても、インダクタの作用で飽和電流のパルス状の流入が阻害され、飽和電流のピーク値が１９．６Ａから４．２Ａに大幅に低下している。また、スイッチング動作の瞬間に流れる電流の値が大幅に低下するため、スイッチング素子Ｓ１１の発熱量が低減され、図１１(ａ)の場合はスイッチング素子の温度が１００度を超えるが、図１１(ｂ)の場合は８０度程度ととなり、安全な動作が実現される。【００６８】
なお、インピーダンス素子として抵抗素子も考えられるが、一次巻線Ｌ１１１，Ｌ１１２の電流がランプ１に流れる電流に昇圧比（一般に５０倍から１００倍）を掛けた値になり、非常に高電流となるから、電力損失の少ないインダクタを用いるのが好適である。また、インダクタＬ１のインダクタンスは１μＨ以上５μＨ以下が好適である。１μＨ以下では、飽和電流の抑制効果がほとんど得られず、５μＨ以上になると、電流の急峻な変化が阻害され、その結果、駆動波形が大きく崩れてランプ１の発光効率が大きく低下する。【００６９】
本発明の思想は上記実施の形態１から実施の形態３の構成に限定されるものではなく、発明の趣旨を損なわない範囲内で種々の変更を加えることが可能である。【００７０】
本実施の形態２および実施の形態３のように、二つの電源Ｅ１およびＥ２を単一の駆動信号回路４で駆動することが好ましい。各々が個別に駆動信号回路４を有してもランプ１の輝度分布を向上する効果は得られるが、駆動信号の周波数と位相をきちんと揃えるよう工夫する必要がある。その理由は、例えば内部電極２ａの電圧が正、内部電極２ｂの電圧が負となった瞬間は、放電が内部電極２ａおよび２ｂと外部電極３の間で行われず、内部電極２ａ,２ｂの間で行われることになり、ランプ１の発光効率が低下するばかりか、ランプ１のインピーダンスの急激な変化により回路動作が不安定になりやすいためである。電源Ｅ１，Ｅ２に個別に駆動信号回路４を配置したい場合は、例えば、駆動信号回路４をマイコンなどを使って構成し、周波数を詳細に一致させた上で、共通の発振開始信号が入力されてから駆動信号回路４が動作を開始するように構成するなどの方法が考えられる。いずれにせよ、回路動作の安定性やコストを考慮すると、単一の駆動信号回路４で構成するほうが現実的である。【００７１】
また、本実施の形態１から実施の形態３では、ランプ１の封入ガスとしてキセノンガスを用いたが、キセノン、クリプトン、アルゴン、ネオン、ヘリウム、若しくはこれらの群の中から適宜選択された混合ガスを用いてもよく、本発明の効果は封入ガスの種類により限定されない。また、封入ガスの圧力により限定されない。【００７２】
また、本発明の効果は、外部電極３の形状に左右されない。なぜなら、暗部移動による発光輝度分布の改善メカニズムは電極形状に依存しないためである。【００７３】
なお、電源Ｅの電圧の範囲は、液晶用のバックライトの場合、１２Ｖまたは２４Ｖが最も一般的である。しかしながら、本願発明の効果は電源電圧に左右されない。【００７４】
また、本願発明の効果は駆動周波数に左右されない。しかしながら、駆動周波数が高くなりすぎると、希ガスのエキシマ発光が充分に行われる前に電圧が反転することになり、逆電流によりエキシマ分子が破壊されて、ランプの発光効率を悪化させる。従って、駆動周波数の好適な範囲は、１０ｋＨｚから５０ｋＨｚ程度である。
また、スイッチング素子Ｓ１，Ｓ２，Ｓ３およびＳ４は、バイポーラトランジスタ、ＭＯＳＦＥＴが一般的に用いられるが、本発明の効果はスイッチング素子の種類に左右されないことは明らかである。
【産業上の利用可能性】
【００７５】
本発明の誘電体バリア放電ランプの点灯装置は、発光効率を損なうことなく均斉度を高めることが可能であり、液晶用のバックライトや原稿読み取り装置用の光源等として有用である。
【図１】
2007129506.tif 000003
【図２】
2007129506.tif 000004
【図３】
2007129506.tif 000005
【図４】
2007129506.tif 000006
【図５】
2007129506.tif 000007
【図６】
2007129506.tif 000008
【図９】
2007129506.tif 000009
【図１０】
2007129506.tif 000010
【図１１】
2007129506.tif 000011
【図１２】
2007129506.tif 000012
【図７】
2007129506.tif 000013
【図８】
2007129506.tif 000014
【手続補正書】
【提出日】平成20年1月28日(2008.1.28)
【手続補正１】
【補正対象書類名】特許請求の範囲
【補正対象項目名】全文
【補正方法】変更
【補正の内容】
【特許請求の範囲】
【請求項１】
希ガスを含む放電媒体が封入された透光性容器の両端に一対の内部電極を有し、かつ前記透光性容器の長手方向に沿って配置された外部電極を有する誘電体バリア放電ランプを点灯させる点灯装置であって、
所定の略矩形波電圧に正の直流電圧が重畳された電圧である第一の略矩形波電圧を発生する第一の駆動回路と、
所定の略矩形波電圧に負の直流電圧が重畳された電圧である第二の略矩形波電圧を発生する第二の駆動回路とを有し、
前記第一の駆動回路が、前記一対の内部電極の一方と前記外部電極に、前記第一の略矩形波電圧を印加するよう接続され、
かつ前記第二の駆動回路が、前記一対の内部電極の他方と前記外部電極に、前記第二の略矩形波電圧を印加するよう接続され、
前記略矩形波電圧の振幅は、それに重畳する正及び負の直流電圧の振幅よりも大きい
ことを特徴とする誘電体バリア放電ランプ点灯装置。
【請求項２】
前記第一の略矩形波電圧と、前記第二の略矩形波電圧が略同位相であることを特徴とする請求項１記載の誘電体バリア放電ランプ点灯装置。
【請求項３】
希ガスを含む放電媒体が封入された透光性容器の両端に一対の内部電極を有し、かつ前記透光性容器の長手方向に沿って配置された外部電極を有する誘電体バリア放電ランプを点灯させる点灯装置であって、
所定の略矩形波電圧に正の直流電圧が重畳された電圧である第一の略矩形波電圧を発生する第一の駆動回路と、
所定の略矩形波電圧に負の直流電圧が重畳された電圧である第二の略矩形波電圧を発生する第二の駆動回路とを有し、
前記第一の駆動回路が、前記一対の内部電極の一方と前記外部電極に、前記第一の略矩形波電圧を印加するよう接続され、
かつ前記第二の駆動回路が、前記一対の内部電極の他方と前記外部電極に、前記第二の略矩形波電圧を印加するよう接続され、
前記第一の略矩形波電圧と、前記第二の略矩形波電圧が略同位相であり、
前記第一の駆動回路と前記第二の駆動回路が、単一の駆動信号回路により駆動されるインバータ回路であることを特徴とする誘電体バリア放電ランプ点灯装置。
【請求項４】
前記第一の駆動回路が第一の昇圧トランスを有しており、
前記第一の昇圧トランスが第一の一次巻線と第二の一次巻線および第一の二次巻線を有し、
前記第二の駆動回路が第二の昇圧トランスを有しており、
前記第二の昇圧トランスが第三の一次巻線と第四の一次巻線および第二の二次巻線を有し、
前記第一の一次巻線の巻数と、前記第四の一次巻線の巻数が略等しく、前記第二の一次巻線の巻数と、前記第三の一次巻線の巻数が略等しい
ことを特徴とする請求項３記載の誘電体バリア放電ランプ点灯装置。
【請求項５】
前記第一の一次巻線の巻数と、前記第二の一次巻線の巻数の差が、１ターン以上２ターン以下であることを特徴とする請求項４記載の誘電体バリア放電ランプ点灯装置。
【請求項６】
前記第一から第四の一次巻線のうち、少なくとも巻数が最も少ない一次巻線に直列にインピーダンス素子を接続したことを特徴とする請求項４記載の誘電体バリア放電ランプ点灯装置。
【請求項７】
前記インピーダンス素子が、インダクタンスが１μＨ以上５μＨ以下のインダクタであることを特徴とする請求項６記載の誘電体バリア放電ランプ点灯装置。
【請求項８】
希ガスを含む放電媒体が封入された透光性容器の両端に一対の内部電極を有し、かつ前記透光性容器の長手方向に沿って配置された外部電極を有する誘電体バリア放電ランプを点灯させる点灯装置であって、
所定の略矩形波電圧に正の直流電圧が重畳された電圧である第一の略矩形波電圧を発生する第一の駆動回路と、
所定の略矩形波電圧に負の直流電圧が重畳された電圧である第二の略矩形波電圧を発生する第二の駆動回路とを有し、
前記第一の駆動回路が、前記一対の内部電極の一方と前記外部電極に、前記第一の略矩形波電圧を印加するよう接続され、
かつ前記第二の駆動回路が、前記一対の内部電極の他方と前記外部電極に、前記第二の略矩形波電圧を印加するよう接続され、
前記正の直流電圧と前記負の直流電圧の絶対値とが略等しいことを特徴とする誘電体バリア放電ランプの点灯装置。
【請求項９】
前記所定の略矩形波電圧の振幅Ｖａと、前記正の直流電圧および前記負の直流電圧の絶対値Ｖｂとの関係が次式を満たすことを特徴とする請求項８記載の誘電体バリア放電ランプの点灯装置。
０．０２５Ｖａ≦Ｖｂ≦０．１０Ｖａ
【請求項１０】
希ガスを含む放電媒体が封入された透光性容器の両端に一対の内部電極を有し、かつ前記透光性容器の長手方向に沿って配置された外部電極を有する誘電体バリア放電ランプを点灯する方法であって、
前記内部電極のうちの一方に所定の略矩形波電圧に正の直流電圧が重畳された電圧である第一の略矩形波電圧を印加し、
前記内部電極のうちの他方に所定の略矩形波電圧に負の直流電圧が重畳された電圧である第二の略矩形波電圧を印加する
ことを特徴とする誘電体バリア放電ランプの点灯方法。
【請求項１１】
前記第一の略矩形波電圧と、前記第二の略矩形波電圧が、略同位相であることを特徴とする請求項１０記載の誘電体バリア放電ランプの点灯方法。
【請求項１２】
前記正の直流電圧と、前記負の直流電圧の絶対値が略等しいことを特徴とする請求項１０記載の誘電体バリア放電ランプの点灯方法。
【請求項１３】
前記所定の略矩形波電圧の振幅Ｖａと、前記正の直流電圧および前記負の直流電圧の絶対値Ｖｂとの関係が次式を満たすことを特徴とする請求項１２記載の誘電体バリア放電ランプの点灯方法。
【手続補正２】
【補正対象書類名】明細書
【補正対象項目名】０００３
【補正方法】変更
【補正の内容】
【０００３】
流電圧が重畳された第一の略矩形波電圧を発生する第一の駆動回路と、所定の略矩形波電圧に負の直流電圧が重畳された電圧である第二の略矩形波電圧を発生する第二の駆動回路とを有する。第一の駆動回路は、一対の内部電極の一方と外部電極とに、第一の略矩形波電圧を印加するよう接続される。第二の駆動回路は、一対の内部電極の他方と外部電極とに、第二の略矩形波電圧を印加するよう接続される。好ましくは、略矩形波電圧の振幅が、それに重畳する正及び負の直流電圧の振幅よりも大きい。
［００１１］
さらに、第一の略矩形波電圧と第二の略矩形波電圧が略同位相であることが好ましい。また、第一の駆動回路と第二の駆動回路が単一の駆動信号回路により駆動されるインバータ回路であることが好ましい。
［００１２］
また、第一の駆動回路が第一の昇圧トランスを有し、第一の昇圧トランスが第一の一次巻線と第二の一次巻線および第一の二次巻線を有し、さらに第二の駆動回路が第二の昇圧トランスを有しており、第二の昇圧トランスが第三の一次巻線と第四の一次巻線および第二の二次巻線を有し、かつ、第一の一次巻線の巻数と第四の一次巻線の巻数が略等しく、
かつ、第二の一次巻線の巻数と第三の一次巻線の巻数を略等しく構成してもよい。さらに、第一の一次巻線の巻数と第二の一次巻線の巻数の差が、１ターン以上２ターン以下となるように構成してもよい。
［００１３］
さらに、第一から第四の一次巻線のうち、少なくとも巻数が最も少ない一次巻線に直列にインピーダンス素子を接続してもよい。インピーダンス素子は例えば１μＨ以上５μＨ以下のインダクタである。
［００１４］
正の直流電圧と負の直流電圧の絶対値とが略等しくしてもよい。この場合、所定の略矩形波電圧の振幅Ｖａと、正の直流電圧および負の直流電圧の絶対値Ｖｂとの関係が次式を満たすようにしてもよい。
０．０２５Ｖａ≦Ｖｂ≦０．１０Ｖａ
［００１５］
本発明に係る誘電体バリア放電ランプの点灯方法は、ランプの両端に一対の内部電極を有し、かつランプの長手方向に沿って配置された外部電極を有する誘電体バリア放電ランプを点灯する方法である。その方法は、上記内部電極のうちの一方に、所定の略矩形波電圧に正の直流電圧が重畳された電圧である第一の略矩形波電
【手続補正書】
【提出日】平成20年5月21日(2008.5.21)
【手続補正１】
【補正対象書類名】特許請求の範囲
【補正対象項目名】全文
【補正方法】変更
【補正の内容】
【特許請求の範囲】
【請求項１】
希ガスを含む放電媒体が封入された透光性容器の両端に一対の内部電極を有し、かつ前記透光性容器の長手方向に沿って配置された外部電極を有する誘電体バリア放電ランプを点灯させる点灯装置であって、
所定の略矩形波電圧に正の直流電圧が重畳された電圧である第一の略矩形波電圧を発生する第一の駆動回路と、
所定の略矩形波電圧に負の直流電圧が重畳された電圧である第二の略矩形波電圧を発生する第二の駆動回路とを有し、
前記第一の駆動回路が、前記一対の内部電極の一方と前記外部電極に、前記第一の略矩形波電圧を印加するよう接続され、
かつ前記第二の駆動回路が、前記一対の内部電極の他方と前記外部電極に、前記第二の略矩形波電圧を印加するよう接続され、
前記略矩形波電圧の振幅は、それに重畳する正及び負の直流電圧の振幅よりも大きい
ことを特徴とする誘電体バリア放電ランプ点灯装置。
【請求項２】
前記第一の略矩形波電圧と、前記第二の略矩形波電圧が略同位相であることを特徴とする請求項１記載の誘電体バリア放電ランプ点灯装置。
【請求項３】
希ガスを含む放電媒体が封入された透光性容器の両端に一対の内部電極を有し、かつ前記透光性容器の長手方向に沿って配置された外部電極を有する誘電体バリア放電ランプを点灯させる点灯装置であって、
所定の略矩形波電圧に正の直流電圧が重畳された電圧である第一の略矩形波電圧を発生する第一の駆動回路と、
所定の略矩形波電圧に負の直流電圧が重畳された電圧である第二の略矩形波電圧を発生する第二の駆動回路とを有し、
前記第一の駆動回路が、前記一対の内部電極の一方と前記外部電極に、前記第一の略矩形波電圧を印加するよう接続され、
かつ前記第二の駆動回路が、前記一対の内部電極の他方と前記外部電極に、前記第二の略矩形波電圧を印加するよう接続され、
前記第一の略矩形波電圧と、前記第二の略矩形波電圧が略同位相であり、
前記第一の駆動回路と前記第二の駆動回路が、単一の駆動信号回路により駆動されるインバータ回路であることを特徴とする請求項２に記載の誘電体バリア放電ランプ点灯装置。
【請求項４】
前記第一の駆動回路が第一の昇圧トランスを有しており、
前記第一の昇圧トランスが第一の一次巻線と第二の一次巻線および第一の二次巻線を有し、
前記第二の駆動回路が第二の昇圧トランスを有しており、
前記第二の昇圧トランスが第三の一次巻線と第四の一次巻線および第二の二次巻線を有し、
前記第一の一次巻線の巻数と、前記第四の一次巻線の巻数が略等しく、前記第二の一次巻線の巻数と、前記第三の一次巻線の巻数が略等しい
ことを特徴とする請求項３記載の誘電体バリア放電ランプ点灯装置。
【請求項５】
前記第一の一次巻線の巻数と、前記第二の一次巻線の巻数の差が、１ターン以上２ターン以下であることを特徴とする請求項４記載の誘電体バリア放電ランプ点灯装置。
【請求項６】
前記第一から第四の一次巻線のうち、少なくとも巻数が最も少ない一次巻線に直列にインピーダンス素子を接続したことを特徴とする請求項４記載の誘電体バリア放電ランプ点灯装置。
【請求項７】
前記インピーダンス素子が、インダクタンスが１μＨ以上５μＨ以下のインダクタであることを特徴とする請求項６記載の誘電体バリア放電ランプ点灯装置。
【請求項８】
希ガスを含む放電媒体が封入された透光性容器の両端に一対の内部電極を有し、かつ前記透光性容器の長手方向に沿って配置された外部電極を有する誘電体バリア放電ランプを点灯させる点灯装置であって、
所定の略矩形波電圧に正の直流電圧が重畳された電圧である第一の略矩形波電圧を発生する第一の駆動回路と、
所定の略矩形波電圧に負の直流電圧が重畳された電圧である第二の略矩形波電圧を発生する第二の駆動回路とを有し、
前記第一の駆動回路が、前記一対の内部電極の一方と前記外部電極に、前記第一の略矩形波電圧を印加するよう接続され、
かつ前記第二の駆動回路が、前記一対の内部電極の他方と前記外部電極に、前記第二の略矩形波電圧を印加するよう接続され、
前記正の直流電圧と前記負の直流電圧の絶対値とが略等しく、
前記所定の略矩形波電圧の振幅Ｖａと、前記正の直流電圧および前記負の直流電圧の絶対値Ｖｂとの関係が次式を満たすことを特徴とする誘電体バリア放電ランプの点灯装置。
０．０２５Ｖａ≦Ｖｂ≦０．１０Ｖａ
【請求項９】
希ガスを含む放電媒体が封入された透光性容器の両端に一対の内部電極を有し、かつ前記透光性容器の長手方向に沿って配置された外部電極を有する誘電体バリア放電ランプを点灯する方法であって、
前記内部電極のうちの一方と前記外部電極に所定の略矩形波電圧に正の直流電圧が重畳された電圧である第一の略矩形波電圧を印加し、
前記内部電極のうちの他方と前記外部電極に所定の略矩形波電圧に負の直流電圧が重畳された電圧である第二の略矩形波電圧を印加し、
前記略矩形波電圧の振幅は、それに重畳する正及び負の直流電圧の振幅よりも大きい
ことを特徴とする誘電体バリア放電ランプの点灯方法。
【請求項１０】
前記第一の略矩形波電圧と、前記第二の略矩形波電圧が、略同位相であることを特徴とする請求項９記載の誘電体バリア放電ランプの点灯方法。
【請求項１１】
前記正の直流電圧と、前記負の直流電圧の絶対値が略等しく、前記所定の略矩形波電圧の振幅Ｖａと、前記正の直流電圧および前記負の直流電圧の絶対値Ｖｂとの関係が次式を満たすことを特徴とする請求項９記載の誘電体バリア放電ランプの点灯方法。
０．０２５Ｖａ≦Ｖｂ≦０．１０Ｖａ
【手続補正２】
【補正対象書類名】明細書
【補正対象項目名】全文
【補正方法】変更
【補正の内容】
【発明の詳細な説明】
【技術分野】
【０００１】
本発明は、外部電極とランプ両端に配置された内部電極とを有する誘電体バリア放電ランプの点灯装置及び点灯方法に関する。
【背景技術】
【０００２】
近年、液晶技術の発達と共にテレビやモニタ等の情報表示装置として液晶ディスプレイが一般的に用いられている。液晶ディスプレイは、液晶の背面に光源装置（以下「バックライト」と呼ぶ）を配置し、このバックライトからの光を液晶パネルを透過させることで画面表示を行う構造を有する。これらのバックライトの主な光源としては、細管の冷陰極蛍光ランプを多数配置したものが最も多く用いられている。
【０００３】
一方、バックライト用光源のさらなる高性能化が期待されており、それに対応して外部電極型の蛍光ランプが盛んに研究開発されている。誘電体バリア放電ランプは、ランプ内部に水銀を含まず、希ガスの発光を利用したものであり、環境にやさしくリサイクル性にも優れているという特長を有している。さらに、誘電体バリア放電ランプは水銀を含まないため、従来の冷陰極蛍光ランプのようにランプ内部の水銀が暖まって充分に蒸気化するまでの光束の時間変化がほとんどなく、光の立ち上がりが早いという特長を有している。
【０００４】
誘電体バリア放電ランプの好適な構成例としては、図１２に示すように、ランプ１の両端に封止された一対の内部電極２ａおよび２ｂと、ランプの長手方向に沿って配置された外部電極３とを含む構成がある（特許文献１参照）。このようなランプに対する点灯装置は、内部電極２ａおよび２ｂのいずれか一方を、切り替えスイッチＳＷを用いて交互に電源Ｅに接続する。すなわち、切り替えスイッチＳＷにより内部電極２ａと電源Ｅが接続されたとき、内部電極２ａと外部電極３との間で放電が生じ、発光する（図１２（ａ）の状態）。逆に切り替えスイッチＳＷにより内部電極２ｂと電源Ｅが接続されたとき、内部電極２ｂと外部電極３との間で放電が生じ、発光する（図１１（ｂ）の状態）。従って、切り替えスイッチＳＷの接続を所定の周波数で切り替えることによって、内部電極２ａ側と内部電極２ｂ側が交互に点灯し、全体として平均した発光を得ることができる。
【０００５】
【特許文献１】特開２００４−１２７５４０号公報（図１参照）
【発明の開示】
【発明が解決しようとする課題】
【０００６】
しかしながら、上述の図１２の構成においてランプ１を点灯する場合、内部電極２ａ側と内部電極２ｂ側が常に電源Ｅと接続された状態でランプ１を点灯する場合の発光効率と比較して、最大１０％から２０％も低下することが、本願発明者らの実験の結果明らかになった。
【０００７】
一方、内部電極２ａ側と内部電極２ｂ側が常に電源Ｅと接続された状態でランプ１を点灯する場合、ランプ１の長手方向における内部電極２ａおよび２ｂのほぼ中間点において、ほとんど発光しなくなる。この理由は、内部電極２ａ側から印加された電界と、内部電極２ｂ側から印加された電界が衝突しあって、ランプ１の中央部において電界がほぼゼロとなるためである。このため、ランプ１の略中央部において、その周辺部と比して急激に暗くなる領域が発生し、輝度の均斉度が大幅に悪化するだけでなく、当該暗部の視認性が非常に高いという欠点を生じる。
【０００８】
ランプ１の片端ではなく両端に内部電極２ａおよび２ｂを設けた構成の利点は、片端のみに内部電極を設ける場合に比べて効率が高いという点であるにも関わらず、そのような構成において、発光の均一性を高めるために、図１２のような内部電極２ａおよび２ｂの交互駆動を実施すると、発光効率が低下する。すなわち、高効率と高均斉度の両立が非常に困難であった。
【０００９】
本発明は、上記課題を解決するためになされたものであり、その目的は、ランプの発光効率を維持しながら、ランプの長手方向の略中央部に明確な暗部を生じず、発光の均斉度を改善する誘電体バリア放電ランプの点灯方法ならびに点灯装置を提供することにある。
【課題を解決するための手段】
【００１０】
本発明に係る誘電体バリア放電ランプの点灯装置は、ランプの両端に一対の内部電極を有し、かつランプの長手方向に沿って配置された外部電極を有する誘電体バリア放電ランプを点灯する装置である。この装置は、所定の略矩形波電圧に正の直流電圧が重畳された第一の略矩形波電圧を発生する第一の駆動回路と、所定の略矩形波電圧に負の直流電圧が重畳された電圧である第二の略矩形波電圧を発生する第二の駆動回路とを有する。第一の駆動回路は、一対の内部電極の一方と外部電極とに、第一の略矩形波電圧を印加するよう接続される。第二の駆動回路は、一対の内部電極の他方と外部電極とに、第二の略矩形波電圧を印加するよう接続される。好ましくは、略矩形波電圧の振幅が、それに重畳する正及び負の直流電圧の振幅よりも大きい。
【００１１】
さらに、第一の略矩形波電圧と第二の略矩形波電圧が略同位相であることが好ましい。また、第一の駆動回路と第二の駆動回路が単一の駆動信号回路により駆動されるインバータ回路であることが好ましい。
【００１２】
また、第一の駆動回路が第一の昇圧トランスを有し、第一の昇圧トランスが第一の一次巻線と第二の一次巻線および第一の二次巻線を有し、さらに第二の駆動回路が第二の昇圧トランスを有しており、第二の昇圧トランスが第三の一次巻線と第四の一次巻線および第二の二次巻線を有し、かつ、第一の一次巻線の巻数と第四の一次巻線の巻数が略等しく、
かつ、第二の一次巻線の巻数と第三の一次巻線の巻数を略等しく構成してもよい。
さらに、第一の一次巻線の巻数と第二の一次巻線の巻数の差が、１ターン以上２ターン以下となるように構成してもよい。
【００１３】
さらに、第一から第四の一次巻線のうち、少なくとも巻数が最も少ない一次巻線に直列にインピーダンス素子を接続してもよい。インピーダンス素子は例えば１μＨ以上５μＨ以下のインダクタである。
【００１４】
正の直流電圧と負の直流電圧の絶対値とが略等しくしてもよい。この場合、所定の略矩形波電圧の振幅Ｖａと、正の直流電圧および負の直流電圧の絶対値Ｖｂとの関係が次式を満たすようにしてもよい。
０．０２５Ｖａ≦Ｖｂ≦０．１０Ｖａ
【００１５】
本発明に係る誘電体バリア放電ランプの点灯方法は、ランプの両端に一対の内部電極を有し、かつランプの長手方向に沿って配置された外部電極を有する誘電体バリア放電ランプを点灯する方法である。その方法は、上記内部電極のうちの一方と外部電極に、所定の略矩形波電圧に正の直流電圧が重畳された電圧である第一の略矩形波電圧を印加し、他方と外部電極に、所定の略矩形波電圧に負の直流電圧が重畳された電圧である第二の略矩形波電圧を印加する。略矩形波電圧の振幅はそれに重畳する正及び負の直流電圧の振幅よりも大きい。
【発明の効果】
【００１６】
本発明は、ランプ両端に内部電極を有する誘電体バリア放電ランプの特長である高発光効率を損なうことなく、ランプ中央部に発生する暗部の視認性を大幅に低下することができる。従って、ランプの高効率と高均斉度を両立することが可能となる。
【発明を実施するための最良の形態】
【００１７】
以下、本発明の実施形態を、図面を参照しながら説明する。
【００１８】
（実施の形態１）
図１は、本発明の第一の実施の形態における誘電体バリア放電ランプの点灯方法及び点灯装置を模式的に示した図である。
【００１９】
図１において、ランプ１は、その両端に配設された一対の内部電極２ａおよび２ｂ、さらにランプ１の長手方向の軸に沿って配設された外部電極３を有する誘電体バリア放電ランプである。ランプ１は、ソーダガラス、ホウ珪酸ガラスなどの透光性材料により形成され、内部にはキセノンガスを主体とした放電ガスが封入されている。さらに、ランプ１の内面には蛍光体皮膜が形成されている。なお、本実施の形態１におけるランプ１の寸法は外径φ３．０ｍｍ、長さ７００ｍｍである。
【００２０】
内部電極２ａおよび外部電極３は、電源Ｅ１にそれぞれ接続され、内部電極２ｂおよび外部電極３は、電源Ｅ２にそれぞれ接続されている。なお、外部電極３は、好ましくは接地電位に保持されている。
【００２１】
電源Ｅ１は、略矩形波（振幅Ｖａ）の交流電圧に、直流電圧Ｖｂを重畳した電圧波形を発生する。一方、電源Ｅ２は、略矩形波（振幅Ｖａ）の交流電圧に、直流電圧−Ｖｂを重畳した電圧波形を発生する。電源Ｅ１およびＥ２は、図２に示すタイミングチャートように、同位相・同一周波数で動作している。
【００２２】
なお、略矩形波電圧が好ましい理由は、ランプ１に流れる電流をパルス状にすることによって休止期間を長く設け、これにより、発光効率を高めることができるためである。なお、誘電体バリア放電ランプの場合、複数の電極間でコンデンサを形成した構成となっている。従って、ランプ１のインピーダンスは容量性である。従って、ランプ１に流れる電流波形は電圧波形の微分となり、原理的にパルス状になる。
【００２３】
以上のように構成した誘電体バリア放電ランプの点灯動作を以下に説明する。
内部電極２ａおよび２ｂと外部電極３の間に、電源Ｅ１および電源Ｅ２により発生した略矩形波の高電圧を印加すると、内部電極２ａ，２ｂと外部電極３並びにランプ１のガラス材料などによって構成される容量に対してパルス状の充電電流が流れる。すなわち、内部電極２ａ，２ｂからランプ１内部に放電電子が供給される。この放電電子は、内部電極２ａ，２ｂに印加された高電圧により加速され、ランプ１の両端部から中央部に向かって進行していきながら、順次ランプ１の内壁にトラップされていく。加速された電子は、ランプ１の内部に封入された放電ガスに衝突し、ガスを励起して、キセノンガスによるエキシマ発光を呈し、拡散陽光柱を発生する。
【００２４】
上記高電圧によるランプ１内部の電界は内部電極２ａおよび２ｂの近傍で最も高く、ランプ１の長手方向の中心部に向かうにつれて低くなっていく。そして、内部電極２ａ側から発生した電界と内部電極２ｂ側から発生した電界がぶつかり合って、ある領域において電界強度がほぼゼロとなる。電界強度がゼロになると、放電電子はもはや加速されず、放電ガスが励起・発光することもほぼなくなって、当該領域に暗部を生じる。ここで、電界強度の勾配はランプ１の持つ容量の分布でほとんど決まり、内部電極２ａおよび２ｂに印加する電圧にはほとんど左右されない。
【００２５】
図２に示すように、内部電極２ａおよび２ｂにおける電圧の関係は、時間により下記の２種類の関係を持ち、それぞれ電界強度がゼロとなる位置は次のように考えられる。
（１）タイミングＡ
内部電極２ａの電位；Ｖａ＋Ｖｂ
内部電極２ｂの電位；Ｖａ−Ｖｂ
暗部の位置；内部電極２ａ、２ｂの間の距離を（Ｖａ＋Ｖｂ）：（Ｖａ−Ｖｂ）に内分する点
（２）タイミングＢ
内部電極２ａの電位；−Ｖａ＋Ｖｂ
内部電極２ｂの電位；−Ｖａ−Ｖｂ
暗部の位置；内部電極２ａ、２ｂの間の距離を（Ｖａ−Ｖｂ）：（Ｖａ＋Ｖｂ）に内分する点
【００２６】
すなわち、内部電極２ａおよび２ｂに印加される電圧が正の時間帯は、やや内部電極２ｂ寄りに暗部が発生し、内部電極２ａおよび２ｂに印加される電圧が負の時間帯は、やや内部電極２ａ寄りに暗部が発生することになる。従って、当該暗部は電源Ｅ１およびＥ２より発生する交流電圧成分の周波数と同一周波数で、上記の二点の間を往復する。このため、当該暗部の動く領域における光出力は、発光しているときの光出力と暗部となっているときの光出力で平均化された出力となる。
【００２７】
次に、略矩形波交流電圧の振幅Ｖａと直流オフセット電圧Ｖｂの値の関係について言及する。
【００２８】
ＶａとＶｂの大小関係は、必ずＶａ＞Ｖｂとなるようにしなければならない。もし、Ｖａ＜Ｖｂとなった場合、常に内部電極２ａの電位は正、内部電極２ｂの電位は負となる。この場合、外部電極３とはほぼ無関係に、放電電子は内部電極２ａから内部電極２ｂへ直接向かう。従って、通常の蛍光ランプなどと同様の放電形態となって、もはや誘電体バリア放電とは言えなくなる。このとき、内部の放電ガスはエキシマを生成しなくなり、放電効率は極端に低下する。
【００２９】
一方、ランプ１の発光効率を最大化するためには、内部電極２ａおよび２ｂに印加可能な電圧は、ランプ１の設計によってある範囲に限定される。その理由は以下の通りである。まず、電圧が高くなりすぎると収縮陽光柱となり、効率が極端に低下するばかりか、収縮部分のスネーキングによるチラツキを発生する。次に、電圧が低くなりすぎると、ランプ１内部の電界強度が低いために、エキシマ生成効率が低下し、ランプ１の発光効率が低下するばかりでなく、ランプ１の中央部付近まで放電が届かなくなってしまう。
【００３０】
以上の理由から、ランプ１の発光効率を損なわないためには、内部電極２ａおよび２ｂに印加する電圧は、あまり大きな直流オフセット電圧Ｖｂを加えず、略矩形波の交流成分の振幅Ｖａに比べて充分に低い値に留めておくように設定することが好適である。さらに、暗部の移動範囲をあまりに広範囲になるように設定すると、暗部がうまく追従できなくなり、数周期に一回程度しか暗部が動かないケースが発生し、目視でランプ１のちらつきを確認した。
【００３１】
また、直流オフセット電圧Ｖｂが非常に小さく暗部の移動範囲があまりに狭くなると、徐々にランプ１中央部の暗部の視認性が高まり、均斉度改善の効果が薄れる。
以上の現象を考慮しながら、直流オフセット電圧Ｖｂの好適な範囲を検討した結果、Ｖｂの値は次式を満たすように設定することが好適である。
０．０２５Ｖａ≦Ｖｂ≦０．１０Ｖａ
【００３２】
図３に、直流オフセット電圧Ｖｂを加えた場合のランプ１の長手方向の輝度分布の例を示す。なお、ここでは、理想的な矩形波を発生する外部電源（ハイデン研究所製：ＳＢＰ−５Ｋ−ＨＦ−１)を用いて測定した結果を示している。また、比較例として、Ｖｂ＝０（内部電極２ａ，２ｂを等電位に保った場合）の輝度分布も記載している。また、いずれの測定も矩形波交流電圧Ｖａは同一の値を用い、ランプ１はキセノンガスを１２０Ｔｏｒｒ封入した同一のものを用いている。輝度分布の測定においては、外部電極は光反射板を兼ねたアルミ平板１枚とし、ランプ１をその上に１６本を並べ、さらに拡散板を載せて、ランプ１の長手方向の軸に沿って測定した。
【００３３】
図３から判るように、従来の点灯方法によるＶｂ＝０の場合、すなわち内部電極２ａ，２ｂを等電位に保った場合、ランプ１の長手方向における中央部の輝度が急激に落ち込んでいる。人間の目の感じ方として、暗部の見え方は暗部周辺の輝度との対比によって認識されるため、周辺部の明るさとの差が大きいときは非常に明確に認識される。言い換えれば、輝度分布のグラフの微分値（傾き）が大きいときに、周辺部との明るさの差を認識しやすく、この場合は暗部が実際の輝度の不均一性以上に明確に認識され、使用者が不快に感じる。なお、本測定は拡散板を載せて行ったため、拡散光によりランプ１の中央部付近の暗部がかなり見えにくくなっているにも関わらず、当該暗部において輝度が急激に落ち込んでいる。
【００３４】
これに対して、本発明の点灯方法によるＶｂ＝０．０５Ｖａの場合、同様にランプ１の長手方向の中央部付近に暗部が発生しているものの、輝度均斉度（最小輝度を最大輝度で割った値）が約６％改善している。６％という値自体は小さいが、暗部近傍における輝度分布の微分値（傾き）が小さくなるために暗部が認識されにくくなり、輝度分布の数値的な改善度合よりもはるかに視覚的には印象が良くなる。なお、図３において範囲Ｒが暗部の移動範囲であり、この範囲において輝度はほぼ均一となっている。
【００３５】
ランプ１の発光効率を計算により求めたところ、Ｖｂ＝０．０５Ｖａの場合のランプ１の発光効率は、Ｖｂ＝０の場合と比較して僅か２％しか低下しなかった。これは計算誤差と言えるレベルの差であり、従来技術のように、内部電極２ａ，２ｂに交互に電圧を印加して駆動する場合の効率低下（−１０〜−２０％）と比較して驚くほど高い効率である。
以上のように、内部電極２ａには正の直流オフセット電圧Ｖｂと矩形波交流電圧Ｖａの合成電圧を印加し、内部電極２ｂには負の直流オフセット電圧Ｖｂと矩形波交流電圧Ｖａの合成電圧を印加することによって、ランプ１の発光効率をほとんど損なうことなく、輝度分布を改善できるとともに、ランプ１の長手方向の中央部近傍に発生する暗部の視認性を低下させるという優れた効果を奏する。
【００３６】
また、本発明はどのような値の矩形波交流電圧Ｖａに対しても効果が得られる。なお、矩形波交流電圧Ｖａを上げることにより、さらに輝度分布を一様な値に近づけることは可能であるが、あまりに上げ過ぎると内部電極２ａ，２ｂ近傍において収縮陽光柱となり、ランプ１の発光効率が低下するので、あくまでも矩形波交流電圧Ｖａの振幅は、内部電極２ａ，２ｂに印加される最大電圧振幅（Ｖａ＋Ｖｂ）において収縮陽光柱が発生しない範囲内に留める必要がある。
【００３７】
また、本実施の形態１では電源Ｅ１と電源Ｅ２の直流オフセット電圧の絶対値を等しくしたが、異なる電圧としても同様の効果が得られる。ただし、ランプ１の両端における発光輝度が非対称となる場合が多く、ディスプレイ等への応用を考えた場合には不適である。
【００３８】
（実施の形態２）
図４は、本発明の第二の実施の形態における誘電体バリア放電ランプの点灯装置の構成を示す図である。なお、本実施の形態の構成は、実施の形態１における電源Ｅ１，Ｅ２をプッシュプルインバータで構成し、当該インバータを直流電源Ｅ０に接続したものである。
【００３９】
上記の構成による誘電体バリア放電ランプ点灯装置の動作を、図４を参照しながら説明する。
【００４０】
インバータ電源Ｅ１，Ｅ２は、直流電源Ｅ０からの直流電力をスイッチング素子のスイッチングに応じて以下のように略矩形波電圧の交流電力に変換する。
【００４１】
まず、駆動信号回路４は、４つのスイッチング素子Ｓ１１，Ｓ１２，Ｓ２１，Ｓ２２を駆動するための２種類の駆動信号を生成する。一つの駆動信号はスイッチング素子Ｓ１１およびＳ２１のオンオフ信号であり、他の駆動信号はスイッチング素子Ｓ１２およびＳ２２のオンオフ信号である。上記２つの駆動信号は、交互にオン信号を発生する。すなわち、一方がオンの信号を発生しているときは他方がオフ信号を発生する。従って、回路の動作状態は、以下の２つの状態を持つ。
状態Ａ：スイッチング素子Ｓ１１，Ｓ２１：オフ
スイッチング素子Ｓ１２，Ｓ２２：オン
このとき、電源Ｅ１，Ｅ２の昇圧トランスＴ１，Ｔ２の一次巻線Ｌ１１２，Ｌ２１２に各々電流が流れ、その結果、昇圧トランスＴ１，Ｔ２の二次巻線Ｌ１２，Ｌ２２にランプ１の内部電極２ａおよび２ｂに正の電圧を印加するような高電圧が各々発生する。
状態Ｂ：スイッチング素子Ｓ１１，Ｓ２１：オン
スイッチング素子Ｓ１２，Ｓ２２：オフ
このとき、電源Ｅ１，Ｅ２の昇圧トランスＴ１，Ｔ２の一次巻線Ｌ１１１，Ｌ２１１に各々電流が流れ、その結果、昇圧トランスＴ１，Ｔ２の二次巻線Ｌ１２，Ｌ２２にランプ１の内部電極２ａおよび２ｂに負の電圧を印加するような高電圧が各々発生する。
【００４２】
上記の二つの状態を交互に繰り返すことによって、ランプ１は、内部電極２ａおよび２ｂと外部電極３との間に交流高電圧が印加され、ランプ１内部に放電プラズマを発生させる。なお、上述の構成によれば、電源Ｅ１およびＥ２は同位相、同周波数の略矩形波をランプ１に出力できる。
【００４３】
ここで、ランプ１に発生する交流電圧（昇圧トランスＴ１，Ｔ２の二次巻線Ｌ１２，Ｌ２２に各々発生する電圧）は略矩形波であり、上述の実施の形態１と同様である。昇圧トランスＴ１およびＴ２の各巻線の結合係数が低いと、漏れインダクタンスにより波形が大きく崩れてしまうため、好ましくは各トランスの結合係数を０．９９５以上となるように構成する。
【００４４】
各昇圧トランスＴ１およびＴ２の各巻線は、以下のような巻数で構成されている。
一次巻線Ｌ１１１，Ｌ２１２：巻数Ｎ１１
一次巻線Ｌ１１２，Ｌ２１１：巻数Ｎ１２
二次巻線Ｌ１２  ，Ｌ２２  ：巻数Ｎ２
【００４５】
昇圧トランスＴ１およびＴ２の各一次巻線に電流が流れているとき、二次側に発生する電圧（内部電極２ａおよび２ｂに印加される電圧）は、当該巻線の巻数比によって決定される。すなわち、以下のようになる。
状態Ａ：内部電極２ａに印加される電圧：Ｅ０×Ｎ２／Ｎ１２
内部電極２ｂに印加される電圧：Ｅ０×Ｎ２／Ｎ１１
状態Ｂ：内部電極２ａに印加される電圧：−Ｅ０×Ｎ２／Ｎ１１
内部電極２ｂに印加される電圧：−Ｅ０×Ｎ２／Ｎ１２
【００４６】
そこで、Ｎ１１＞Ｎ１２となるように構成すると、各内部電極２ａ，２ｂに印加される電圧の概略波形は図５のように、略矩形波電圧の波形にそれぞれ直流オフセット電圧が重畳されたような波形となる。このときの略矩形波電圧の振幅Ｖａ、直流オフセット電圧Ｖｂは以下のようになる。
Ｖａ＝Ｅ０×Ｎ２×｛（１／Ｎ１２）＋（１／Ｎ１１）｝／２
Ｖｂ＝Ｅ０×Ｎ２×｛（１／Ｎ１２）−（１／Ｎ１１）｝／２
【００４７】
従って、各一次巻線の巻数Ｎ１１，Ｎ１２の差を適宜選定することで、所望の直流オフセット電圧を設定することが可能である。
【００４８】
以上の構成に基づき、実際のインバータ回路で電源Ｅ１およびＥ２を構成し、実際にランプ１を点灯させ、輝度分布の改善効果を検証した。ランプ１の構成は、実施の形態１で用いたものと同様である。
【００４９】
図６に、実回路における電源Ｅ２から内部電極２ｂに出力される電圧の波形を示す。ここでは直流オフセット電圧を約７０V（略矩形波交流電圧の振幅の約３．５％）としている。昇圧トランスＴ１，Ｔ２の逆電圧による電圧立ち上がり・立ち下がり時の電圧オーバーシュートが見られ、また、昇圧トランスＴ１，Ｔ２の持つ巻線の漏れインダクタンスと寄生容量により矩形波の波形が若干乱れているが、概略矩形波交流電圧と直流オフセット電圧の合成電圧波形を良好に出力している。なお、電源Ｅ１から内部電極２aに出力される電圧波形は、図６に示した波形をほぼ反転したものであるため割愛する。
【００５０】
図７は、従来の方法による、内部電極２ａおよび２ｂを等電位に保って点灯させた場合のランプ１の発光状態を撮影した写真である。図７（ａ）は、ランプ１の長手方向の中央付近にできる暗部を見やすくするため、拡散板を外した状態で撮影したものであり、図７（ｂ）は、拡散板を設置した状態で撮影したものである。図７（ａ）に示すように、暗部と、その暗部周辺の輝度差が急激であるため、実際以上に暗部が視認されやすいことが判る。図７（ｂ）に示すように、拡散板を載せた場合でも、ほぼ縦に並んでいるランプ上の暗部に沿って、拡散板の中央部に明確な暗部が確認できる。
【００５１】
図８（ａ）は、本実施形態のインバータ電源Ｅ１，Ｅ２で実際にランプ１を点灯した場合の発光状態を示す写真である。図８（ａ）は拡散板を載せた状態で撮影したものである。なお、図（ｂ）に比較例として図７（ｂ）と同じ写真を示す。なお、図７（ｂ）、図８の写真左側と中央のやや上寄りのところに暗部があるように見えているが、これはカメラについていた汚れの影である。図８（ａ）と図８（ｂ）の二つの写真を見比べてみると、暗部の視認性の改善効果が明らかである。
【００５２】
図９は、本実施の形態のインバータ電源Ｅ１，Ｅ２で実際にランプ１を点灯した場合のランプ１の輝度分布と、比較例として内部電極２ａおよび２ｂを等電位に保って点灯させた場合のランプ１の輝度分布とを示す。本実施の形態の場合も、輝度均斉度（最小輝度を最大輝度で割った値）が約６％改善している。なお、暗部近傍における輝度分布の微分値が小さくなるために暗部が認識されにくく、数値的な改善度合以上の改善効果があることは前述の通りである。
【００５３】
なお、実際のインバータ回路で電源Ｅ１，Ｅ２を構成する場合も、直流オフセット電圧Ｖｂは、略矩形波交流電圧の振幅Ｖａ（ただし、電圧オーバーシュートの部分を除く）に対し、次式のように選定することが好適であることは、実施の形態１の場合と同様である。
０．０２５Ｖａ≦Ｖｂ≦０．１０Ｖａ
【００５４】
なお、本実施の形態では、昇圧トランスＴ１，Ｔ２の巻数が一次巻線Ｌ１１１およびＬ２１２を等しく、かつ一次巻線Ｌ１１２およびＬ２１１を各々等しくなるように構成したが、差を持たせても構わない。ただし、その場合は内部電極２ａ側と内部電極２ｂ側で輝度に差を生じる場合があるので注意が必要である。
【００５５】
次に、一次巻線の巻数Ｎ１１とＮ１２の巻数差の好適な範囲について説明する。一次巻線の巻数Ｎ１１とＮ１２の巻数差の好適な範囲は、１ターン以上２ターン以下が好適である。一般に良く用いられている冷陰極蛍光ランプの用途として液晶ディスプレイのバックライトが挙げられるが、バックライトの駆動回路の入力は直流１２Ｖないし２４Ｖが主流である。従って、ランプ１の設計にも拠るが、昇圧トランスＴ１およびＴ２の昇圧比は５０倍から１００倍とすることが必要となる。例えば、二次巻線Ｌ１２およびＬ２２の巻数Ｎ２を１０００ターンとすると、昇圧比５０倍なら一次巻線の巻数は２０ターン、１００倍なら僅か１０ターンと、巻数が非常に少ない。前述のように、暗部の移動範囲を広くするために直流オフセット電圧Ｖｂを大きくしすぎると、効率低下を招いたり、暗部が追従できなくなってちらつきを生じたりする。従って、一次巻線の巻数差（＝Ｎ１１−Ｎ１２）は１ターンないし２ターンに抑えるほうが好ましい。この場合、例えば二次巻線の巻数Ｎ２を１０００ターン、昇圧比が５０倍から１００倍の範囲において、
（１）昇圧比が５０倍のとき
一次側を２０ターンと１９ターンとすると、オフセット電圧は交流分の２．５６％
一次側を２０ターンと１８ターンとすると、オフセット電圧は交流分の５．２６％
となる。
（２）昇圧比が１００倍のとき
一次側を１０ターンと９ターンとすると、オフセット電圧は交流分の５．２６％
一次側を１０ターンと８ターンとすると、オフセット電圧は交流分の１１．１１％
となる。
【００５６】
従って、一次巻線の巻数差（＝Ｎ１１−Ｎ１２）は、１ターンないし２ターンとするのが現実的である。なお、昇圧トランスＴ１，Ｔ２のボビン（巻線の巻き枠）のピン配置によっては１．５ターンなど端数にしても良い。
【００５７】
（実施の形態３）
図１０は、本発明の第三の実施の形態における誘電体バリア放電ランプの点灯装置の構成を示す図である。本実施の形態では、実施の形態２における昇圧トランスＴ１およびＴ２の一次巻線のうち、巻数が少ないほうの一次巻線に直列に直列インダクタＬ１，Ｌ２を各々挿入している。電源Ｅ１およびＥ２の動作は実施の形態２における点灯装置の場合と同様なので、詳細な説明は割愛する。
【００５８】
上述の実施の形態２の場合のように、昇圧トランスＴ１およびＴ２の一次側の巻数に差を設けた場合、以下のような問題が生じる場合がある。
【００５９】
内部電極２ａおよび２ｂに負の高電圧を印加した際に、内部電極２ａ，２ｂから放出された電子は、ランプ１の内壁にトラップされる。これを「壁電荷」と呼ぶ。トラップされた電子は、内部電極２ａ，２ｂに印加する電圧が正に反転した瞬間に、内部電極２ａ，２ｂの近傍の領域から順に放出され、内部電極２ａ，２ｂに帰還する。このとき、各内部電極２ａ、２ｂの近傍にトラップされている電子は、内部電極２ａないし２ｂにどのような正電圧を印加しても、必ず直近の内部電極に向かって放電される。なぜなら、ランプ１の長さは、内部電極２ａと内部電極２ｂの電位差に比べて充分長く、さらに電界強度は内部電極２ａ，２ｂから遠ざかるにつれて低下するので、例えば内部電極２ａ近傍の領域では、内部電極２ｂからは最も遠い位置にあるため、ほとんど影響を受けないからである。また、内部電極２ｂ近傍の領域でも同様に、内部電極２ａの電位に関わらず、内部電極２ｂ近傍の電子は内部電極２ｂに向かって放出される。
【００６０】
このような現象のため、内部電極２ａ，２ｂに印加する電圧が反転する際に流れるランプ電流、すなわち昇圧トランスＴ１，Ｔ２の二次巻線Ｌ１２，Ｌ２２に流れる電流のピーク値Ｉは、電圧が正から負に反転するときと負から正に反転するときでは、内部電極２ａ，２ｂに印加している電圧が異なるにも関わらず、ほぼ同じになってしまう。なお、ランプ１の長手方向の中央部近傍においては、内部電極２ａからの距離と内部電極２ｂからの距離が拮抗しているため、各々印加されている電圧のバランスによって電界方向が決まる。本実施の形態のように、内部電極２ａに正の電圧オフセット、内部電極２ｂに負の電圧オフセットを与えた場合は、ランプ１の管中央付近の壁電荷は、負電圧のときに内部電極２ｂ側から供給され、負電圧のときに内部電極２ａ側から放出される。
【００６１】
このように、昇圧トランスＴ１，Ｔ２の二次巻線Ｌ１２，Ｌ２２に流れる電流は、正電流と負電流でピーク値がほとんど変わらない。ところが、一次巻線Ｌ１１１，Ｌ１１２，Ｌ２１１，Ｌ２１２は巻数が異なっている。昇圧トランスＴ１側を例にとると、一次巻線Ｌ１１１に電流が流れる期間に発生する最大起磁力は、巻数Ｎ１１とピーク電流Ｉの積となる。次に、一次巻線Ｌ１１２に電流が流れる期間に発生する最大起磁力は、巻数Ｎ１２とピーク電流Ｉの積となる。すなわち、巻数が少ない方の一次巻線Ｌ１１２を電流が流れる期間に比して、巻数が多い方の一次巻線Ｌ１１１に電流が流れる期間では、昇圧トランスＴ１に発生する起磁力が高くなり、比較的昇圧トランスＴ１の飽和が発生しやすい。
【００６２】
上記の問題を解消するために、本実施形態では、巻数が少ない方の一次巻線に直列にインピーダンス素子を挿入する。図１０の構成において、直列インダクタＬ１，Ｌ２が、その挿入されたインピーダンス素子に該当する。
【００６３】
巻数が少ない方の一次巻線Ｌ１１２，Ｌ２１１、すなわち昇圧比が高くなる方の一次巻線に対して直列インダクタＬ１，Ｌ２を挿入することによって、一次巻線Ｌ１１２，Ｌ２１１に流れる電流のピーク値を抑制し、その結果としてランプ１に流れる電流ピーク値を制限する。これにより、巻数が多い方の一次巻線Ｌ１１１，Ｌ２１２に流れる電流のピーク値も、前述の制限されたピーク値とほぼ等しくなる。従って、昇圧トランスＴ１，Ｔ２の飽和が発生しにくくなるという効果を奏する。
【００６４】
図１１に、インダクタＬ１の挿入前後の電源Ｅ１の電圧及び電流波形を示す。図１１（ａ）はインダクタＬ１の挿入前の波形を示し、図１１（ｂ）はインダクタＬ１の挿入後の波形を示す。図１１において、波形Ｖは内部電極２ａに印加される電圧の波形であり、波形Ｉはスイッチング素子Ｓ１１に流れる電流の波形である。なお、図１１（ａ）と図１１（ｂ）においては電流波形の縦軸のスケールが異なっている。図１１では、一次巻線Ｌ１１２のインダクタンスは約５２０μＨであり、インダクタＬ１は、一次巻線Ｌ１１２のインダクタンスに対して充分に小さな値である４μＨとしている。
【００６５】
図１１（ｂ）を参照すると、挿入したインダクタＬ１の作用により、電流変化が緩やかになり、電流パルスのピーク値が低下しているとともに時定数が大きくなっているのが分かる。飽和電流についても、インダクタの作用で飽和電流のパルス状の流入が阻害され、飽和電流のピーク値が１９．６Ａから４．２Ａに大幅に低下している。また、スイッチング動作の瞬間に流れる電流の値が大幅に低下するため、スイッチング素子Ｓ１１の発熱量が低減され、図１１(ａ)の場合はスイッチング素子の温度が１００度を超えるが、図１１(ｂ)の場合は８０度程度ととなり、安全な動作が実現される。
【００６６】
なお、インピーダンス素子として抵抗素子も考えられるが、一次巻線Ｌ１１１，Ｌ１１２の電流がランプ１に流れる電流に昇圧比（一般に５０倍から１００倍）を掛けた値になり、非常に高電流となるから、電力損失の少ないインダクタを用いるのが好適である。また、インダクタＬ１のインダクタンスは１μＨ以上５μＨ以下が好適である。１μＨ未満では、飽和電流の抑制効果がほとんど得られず、５μＨを超えると、電流の急峻な変化が阻害され、その結果、駆動波形が大きく崩れてランプ１の発光効率が大きく低下する。
【００６７】
本発明の思想は上記実施の形態１から実施の形態３の構成に限定されるものではなく、発明の趣旨を損なわない範囲内で種々の変更を加えることが可能である。
【００６８】
本実施の形態２および実施の形態３のように、二つの電源Ｅ１およびＥ２を単一の駆動信号回路４で駆動することが好ましい。各々が個別に駆動信号回路４を有してもランプ１の輝度分布を向上する効果は得られるが、駆動信号の周波数と位相をきちんと揃えるよう工夫する必要がある。その理由は、例えば内部電極２ａの電圧が正、内部電極２ｂの電圧が負となった瞬間は、放電が内部電極２ａおよび２ｂと外部電極３の間で行われず、内部電極２ａ,２ｂの間で行われることになり、ランプ１の発光効率が低下するばかりか、ランプ１のインピーダンスの急激な変化により回路動作が不安定になりやすいためである。電源Ｅ１，Ｅ２に個別に駆動信号回路４を配置したい場合は、例えば、駆動信号回路４をマイコンなどを使って構成し、周波数を詳細に一致させた上で、共通の発振開始信号が入力されてから駆動信号回路４が動作を開始するように構成するなどの方法が考えられる。いずれにせよ、回路動作の安定性やコストを考慮すると、単一の駆動信号回路４で構成するほうが現実的である。
【００６９】
また、本実施の形態１から実施の形態３では、ランプ１の封入ガスとしてキセノンガスを用いたが、キセノン、クリプトン、アルゴン、ネオン、ヘリウム、若しくはこれらの群の中から適宜選択された混合ガスを用いてもよく、本発明の効果は封入ガスの種類により限定されない。また、封入ガスの圧力により限定されない。
【００７０】
また、本発明の効果は、外部電極３の形状に左右されない。なぜなら、暗部移動による発光輝度分布の改善メカニズムは電極形状に依存しないためである。
【００７１】
なお、電源Ｅの電圧の範囲は、液晶用のバックライトの場合、１２Ｖまたは２４Ｖが最も一般的である。しかしながら、本願発明の効果は電源電圧に左右されない。
【００７２】
また、本願発明の効果は駆動周波数に左右されない。しかしながら、駆動周波数が高くなりすぎると、希ガスのエキシマ発光が充分に行われる前に電圧が反転することになり、逆電流によりエキシマ分子が破壊されて、ランプの発光効率を悪化させる。従って、駆動周波数の好適な範囲は、１０ｋＨｚから５０ｋＨｚ程度である。
また、スイッチング素子Ｓ１１，Ｓ１２，Ｓ２１およびＳ２２は、バイポーラトランジスタ、ＭＯＳＦＥＴが一般的に用いられるが、本発明の効果はスイッチング素子の種類に左右されないことは明らかである。
【産業上の利用可能性】
【００７３】
本発明の誘電体バリア放電ランプの点灯装置は、発光効率を損なうことなく均斉度を高めることが可能であり、液晶用のバックライトや原稿読み取り装置用の光源等として有用である。
【図面の簡単な説明】
【００７４】
【図１】本発明の実施の形態１における誘電体バリア放電ランプの点灯方法を示す概略図
【図２】本発明の実施の形態１における誘電体バリア放電ランプ点灯装置の電源の動作を説明するためのタイミングチャート図
【図３】本発明の実施の形態１における誘電体バリア放電ランプ点灯装置によるランプの輝度分布を示す図
【図４】本発明の実施の形態２における誘電体バリア放電ランプ点灯装置の構成を示す図
【図５】本発明の実施の形態２における誘電体バリア放電ランプ点灯装置の出力電圧波形を示す概略図
【図６】本発明の実施の形態２における誘電体バリア放電ランプ点灯装置の出力電圧波形を示す図
【図７】従来の点灯方法を用いた誘電体バリア放電ランプ点灯装置による点灯状態を示す図（（ａ）拡散板なし、（ｂ）拡散板あり）。
【図８】（ａ）本発明の実施の形態２による誘電体バリア放電ランプ点灯装置による点灯状態を示す図、及び（ｂ）従来の誘電体バリア放電ランプ点灯装置による点灯状態を示す図
【図９】本発明の実施の形態２における誘電体バリア放電ランプ点灯装置と従来の誘電体バリア放電ランプ点灯装置による輝度分布の比較を示す図
【図１０】本発明の実施の形態３における誘電体バリア放電ランプ点灯装置の構成を示す図
【図１１】本発明の実施の形態３に誘電体バリア放電ランプ点灯装置において、（ａ）インピーダンス素子の挿入前の電源部の電圧及び電流波形を示す図、（ｂ）インピーダンス素子の挿入後の電源部の電圧及び電流波形を示す図
【図１２】従来の放電ランプ点灯装置の構成を示す図
【符号の説明】
【００７５】
１  ランプ
２ａ、２ｂ  内部電極
３  外部電極
４  駆動信号回路
５  熱収縮性チューブ
Ｅ０，Ｅ１，Ｅ２  電源
Ｔ１，Ｔ２  昇圧トランス
Ｌ１１１，Ｌ１１２，Ｌ２１１，Ｌ２１２  一次巻線  
Ｌ１２、Ｌ２２  二次巻線  
Ｌ１，Ｌ２  直列インダクタ
Ｓ１１，Ｓ１２，Ｓ２１，Ｓ２２  スイッチング素子
ＳＷ  切り替えスイッチ
【手続補正３】
【補正対象書類名】図面
【補正対象項目名】全図
【補正方法】変更
【補正の内容】
【図１】
2007129506.tif 000015
【図２】
2007129506.tif 000016
【図３】
2007129506.tif 000017
【図４】
2007129506.tif 000018
【図５】
2007129506.tif 000019
【図６】
2007129506.tif 000020
【図７】
2007129506.tif 000021
【図８】
2007129506.tif 000022
【図９】
2007129506.tif 000023
【図１０】
2007129506.tif 000024
【図１１】
2007129506.tif 000025
【図１２】
2007129506.tif 000026
【手続補正書】
【提出日】平成20年8月26日(2008.8.26)
【手続補正１】
【補正対象書類名】特許請求の範囲
【補正対象項目名】全文
【補正方法】変更
【補正の内容】
【特許請求の範囲】
【請求項１】
希ガスを含む放電媒体が封入された透光性容器の両端に一対の内部電極を有し、かつ前記透光性容器の長手方向に沿って配置された外部電極を有する誘電体バリア放電ランプを点灯させる点灯装置であって、
所定の略矩形波電圧に正の直流電圧が重畳された電圧である第一の略矩形波電圧を発生する第一の駆動回路と、
所定の略矩形波電圧に負の直流電圧が重畳された電圧である第二の略矩形波電圧を発生する第二の駆動回路とを有し、
前記第一の駆動回路が、前記一対の内部電極の一方と前記外部電極との間に、前記第一の略矩形波電圧を印加するよう接続され、
かつ前記第二の駆動回路が、前記一対の内部電極の他方と前記外部電極との間に、前記第二の略矩形波電圧を印加するよう接続され、
前記略矩形波電圧の振幅は、それに重畳する正及び負の直流電圧の振幅よりも大きい
ことを特徴とする誘電体バリア放電ランプ点灯装置。
【請求項２】
前記第一の略矩形波電圧と、前記第二の略矩形波電圧が略同位相であることを特徴とする請求項１記載の誘電体バリア放電ランプ点灯装置。
【請求項３】
希ガスを含む放電媒体が封入された透光性容器の両端に一対の内部電極を有し、かつ前記透光性容器の長手方向に沿って配置された外部電極を有する誘電体バリア放電ランプを点灯させる点灯装置であって、
所定の略矩形波電圧に正の直流電圧が重畳された電圧である第一の略矩形波電圧を発生する第一の駆動回路と、
所定の略矩形波電圧に負の直流電圧が重畳された電圧である第二の略矩形波電圧を発生する第二の駆動回路とを有し、
前記第一の駆動回路が、前記一対の内部電極の一方と前記外部電極との間に、前記第一の略矩形波電圧を印加するよう接続され、
かつ前記第二の駆動回路が、前記一対の内部電極の他方と前記外部電極との間に、前記第二の略矩形波電圧を印加するよう接続され、
前記第一の略矩形波電圧と、前記第二の略矩形波電圧が略同位相であり、
前記第一の駆動回路と前記第二の駆動回路が、単一の駆動信号回路により駆動されるインバータ回路であり、
前記略矩形波電圧の振幅は、それに重畳する正及び負の直流電圧の振幅よりも大きいことを特徴とする誘電体バリア放電ランプ点灯装置。
【請求項４】
前記第一の駆動回路が第一の昇圧トランスを有しており、
前記第一の昇圧トランスが第一の一次巻線と第二の一次巻線および第一の二次巻線を有し、
前記第二の駆動回路が第二の昇圧トランスを有しており、
前記第二の昇圧トランスが第三の一次巻線と第四の一次巻線および第二の二次巻線を有し、
前記第一の一次巻線の巻数と、前記第四の一次巻線の巻数が略等しく、前記第二の一次巻線の巻数と、前記第三の一次巻線の巻数が略等しい
ことを特徴とする請求項３記載の誘電体バリア放電ランプ点灯装置。
【請求項５】
前記第一の一次巻線の巻数と、前記第二の一次巻線の巻数の差が、１ターン以上２ターン以下であることを特徴とする請求項４記載の誘電体バリア放電ランプ点灯装置。
【請求項６】
前記第一から第四の一次巻線のうち、少なくとも巻数が最も少ない一次巻線に直列にインピーダンス素子を接続したことを特徴とする請求項４記載の誘電体バリア放電ランプ点灯装置。
【請求項７】
前記インピーダンス素子が、インダクタンスが１μＨ以上５μＨ以下のインダクタであることを特徴とする請求項６記載の誘電体バリア放電ランプ点灯装置。
【請求項８】
希ガスを含む放電媒体が封入された透光性容器の両端に一対の内部電極を有し、かつ前記透光性容器の長手方向に沿って配置された外部電極を有する誘電体バリア放電ランプを点灯させる点灯装置であって、
所定の略矩形波電圧に正の直流電圧が重畳された電圧である第一の略矩形波電圧を発生する第一の駆動回路と、
所定の略矩形波電圧に負の直流電圧が重畳された電圧である第二の略矩形波電圧を発生する第二の駆動回路とを有し、
前記第一の駆動回路が、前記一対の内部電極の一方と前記外部電極との間に、前記第一の略矩形波電圧を印加するよう接続され、
かつ前記第二の駆動回路が、前記一対の内部電極の他方と前記外部電極との間に、前記第二の略矩形波電圧を印加するよう接続され、
前記所定の略矩形波電圧の振幅Ｖａと、前記正の直流電圧および前記負の直流電圧の絶対値Ｖｂとの関係が次式を満たすことを特徴とする誘電体バリア放電ランプの点灯装置。
０．０２５Ｖａ≦Ｖｂ≦０．１０Ｖａ
【請求項９】
希ガスを含む放電媒体が封入された透光性容器の両端に一対の内部電極を有し、かつ前記透光性容器の長手方向に沿って配置された外部電極を有する誘電体バリア放電ランプを点灯する方法であって、
前記内部電極のうちの一方と前記外部電極との間に所定の略矩形波電圧に正の直流電圧が重畳された電圧である第一の略矩形波電圧を印加し、
前記内部電極のうちの他方と前記外部電極との間に所定の略矩形波電圧に負の直流電圧が重畳された電圧である第二の略矩形波電圧を印加し、
前記略矩形波電圧の振幅は、それに重畳する正及び負の直流電圧の振幅よりも大きい
ことを特徴とする誘電体バリア放電ランプの点灯方法。
【請求項１０】
前記第一の略矩形波電圧と、前記第二の略矩形波電圧が、略同位相であることを特徴とする請求項９記載の誘電体バリア放電ランプの点灯方法。
【請求項１１】
前記所定の略矩形波電圧の振幅Ｖａと、前記正の直流電圧および前記負の直流電圧の絶対値Ｖｂとの関係が次式を満たすことを特徴とする請求項９記載の誘電体バリア放電ランプの点灯方法。
０．０２５Ｖａ≦Ｖｂ≦０．１０Ｖａ
【手続補正２】
【補正対象書類名】明細書
【補正対象項目名】００１０
【補正方法】変更
【補正の内容】
【００１０】
本発明に係る誘電体バリア放電ランプの点灯装置は、ランプの両端に一対の内部電極を有し、かつランプの長手方向に沿って配置された外部電極を有する誘電体バリア放電ランプを点灯する装置である。この装置は、所定の略矩形波電圧に正の直流電圧が重畳された第一の略矩形波電圧を発生する第一の駆動回路と、所定の略矩形波電圧に負の直流電圧が重畳された電圧である第二の略矩形波電圧を発生する第二の駆動回路とを有する。第一の駆動回路は、一対の内部電極の一方と外部電極との間に、第一の略矩形波電圧を印加するよう接続される。第二の駆動回路は、一対の内部電極の他方と外部電極との間に、第二の略矩形波電圧を印加するよう接続される。略矩形波電圧の振幅が、それに重畳する正及び負の直流電圧の振幅よりも大きい。
【手続補正３】
【補正対象書類名】明細書
【補正対象項目名】００１４
【補正方法】変更
【補正の内容】
【００１４】
所定の略矩形波電圧の振幅Ｖａと、正の直流電圧および負の直流電圧の絶対値Ｖｂとの関係が次式を満たすようにしてもよい。
０．０２５Ｖａ≦Ｖｂ≦０．１０Ｖａ
【手続補正４】
【補正対象書類名】明細書
【補正対象項目名】００１５
【補正方法】変更
【補正の内容】
【００１５】
本発明に係る誘電体バリア放電ランプの点灯方法は、ランプの両端に一対の内部電極を有し、かつランプの長手方向に沿って配置された外部電極を有する誘電体バリア放電ランプを点灯する方法である。その方法は、上記内部電極のうちの一方と外部電極との間に、所定の略矩形波電圧に正の直流電圧が重畳された電圧である第一の略矩形波電圧を印加し、他方と外部電極との間に、所定の略矩形波電圧に負の直流電圧が重畳された電圧である第二の略矩形波電圧を印加する。略矩形波電圧の振幅はそれに重畳する正及び負の直流電圧の振幅よりも大きい。
【国際調査報告】
2007129506.tif 000027
2007129506.tif 000028
2007129506.tif 000029
2007129506.tif 000030